(57)【要約】【課題】  構築するデータベースへの管理者が複数ある場合に、複数の管理者のデータベースへのアクセス権が一目で分かるように表示できるデータベースアクセス権設定管理システムを提供すること。【解決手段】演算制御手段（共通管理サーバ１３の演算制御回路）は、アクセス権設定画面（図４９のアクセス権設定画面）の縦方向又は横方向の一方に複数のアクセス操作対象（例えば、個人、グループ、役職等）を表示させ、アクセス権設定画面の縦方向又は横方向の他方にアクセス条件（完了後、申請、１次、２次・・・ｎ次のアクセス順）を表示させると共に、複数の前記アクセス操作対象とアクセス条件の対応する位置にアクセスを許可可能とするチェックボックス１３０をそれぞれ表示させるようにしている。【選択図】図４９
2014089674.tif 000002
【特許請求の範囲】
【請求項１】
複数のアクセス操作対象のアクセス権設定画面を表示させるデータ管理ソフトが記録された記録手段と、
前記データ管理画面を表示させる表示手段と、
前記データ管理画面でのデータ操作を行わせる操作手段と、
前記操作手段の操作に基づいてアクセス権設定画面を前記表示手段に表示させる演算制御手段と、を備えるデータベース認証権設定管理システムであって、
前記演算制御手段は、前記アクセス権設定画面の縦方向又は横方向の一方に前記複数のアクセス操作対象を表示させ、前記アクセス権設定画面の縦方向又は横方向の他方にアクセス条件を表示させると共に、前記複数の前記アクセス操作対象とアクセス条件の対応する位置にアクセスを許可可能とするチェックボックスをそれぞれ表示させたことを特徴とするデータベース認証権設定管理システム。
【請求項２】
請求項１に記載のデータベースアクセス権設定管理システムにおいて、前記データ管理ソフトは前記複数のアクセス操作対象に対して承認操作をさせる承認画面を有すると共に、前記アクセス権設定画面のアクセス条件は前記複数のアクセス操作対象に対して前記承認画面における承認条件を設定すること特徴とするデータベースアクセス権設定管理システム。
【請求項３】
請求項２に記載のデータベース認証権設定管理システムにおいて、前記管理ソフトは入力画面を作成する画面作成エリアおよびコントロールアイコンバーが設けられたデータベース作成画面を有すると共に、
前記演算制御手段は、前記承認画面用のデータ入力又は設定用のボックスが前記画面作成エリアに作成された後、前記コントロールアイコンバーに設けられたワークフローアイコンをクリックしたとき、前記承認画面のワークフローで実施する承認数入力ボックスが設けられたワークフロー設定画面を表示させ、前記承認数入力ボックスに入力された承認数に応じた数のアクセス条件を前記承認条件として設定することを特徴とするデータベース認証権設定管理システム。
【請求項４】
請求項３に記載のデータベース認証権設定管理システムにおいて、前記承認画面はメールアカウント申請書の画面であることを特徴とするデータベース認証権設定管理システム。
【請求項５】
請求項１〜４のいずれか一つに記載のデータベースアクセス権設定管理システムにおいて、前記複数のアクセス条件は１次，２次，・・・の順に承認させる承認順番であることを特徴とするデータベースアクセス権設定管理システム。
【請求項６】
請求項１〜５のいずれか一つに記載のデータベースアクセス権設定管理システムにおいて、前記承認操作対象は個人、役職、グループのいずれか又は組み合わせであることを特徴とするデータベースアクセス権設定管理システム。
【請求項７】
請求項３に記載のデータベースアクセス権設定管理システムにおいて、前記演算制御手段は、前記承認画面用のデータ入力又は設定用のボックスが前記画面作成エリアに作成された後、前記コントロールアイコンバーに設けられたワークフローアイコンをクリックしたとき、前記データ入力又は設定用のボックスに設定されるコントロール名称の項目に対して前記承認数入力ボックスに入力された承認数に応じた数のアクセス条件がそれぞれ対応可能なアクセス権設定画面を表示させることを特徴とするデータベースアクセス権設定管理システム。
【請求項８】
請求項７に記載のデータベースアクセス権設定管理システムにおいて、前記演算制御手段は、前記アクセス権設定画面の前記コントロール名称の項目と前記アクセス条件の対応するセルに「照会」、「変更」のアクセス権を設定可能に設けられていることを特徴とするデータベースアクセス権設定管理システム。
【発明の詳細な説明】
【技術分野】
【０００１】
この発明は、サーバに構築するデータベースのアクセス権を設定管理するデータベースアクセス権設定管理システムに関するものである。
【背景技術】
【０００２】
従来からＷｅｂ等の通信回線を利用したデータベースの開発システムが種々考えられている（例えば、特許文献１，２参照）。
【０００３】
一方、データベースの開発システムにおいてデータベースを構築する場合、必要な複数のテーブルを作成して、各テーブルの各項目の属性を設定すると共に、各テーブル間の関連付けをして、関連付けしたテーブルの正規化を行った後に、テーブルに基づく入力部が設けられた入力フォームの設定を行うようにするのが一般的である。
【０００４】
このようなデータベースは、新規に作成される場合や途中で変更する場合でも、複数の管理者により承認（認証）されて、最終的な入力画面が得られるようになっているのが一般的である。このような場合、データベースの承認のためのアクセス権は、複数の部署、管理者の役職や所属、或いは管理者の保有する資格等により、データベースの管理項目等に応じて個々に設定されることが普通である（例えば、特許文献３参照）。
【先行技術文献】
【特許文献】
【０００５】
【特許文献１】特開２０１０−１２８８７３号公報
【特許文献２】特開平９−２３７２７４号公報
【特許文献３】特開２００７−１５７０３７号公報
【発明の概要】
【発明が解決しようとする課題】
【０００６】
しかしながら、従来は、このような承認のためのアクセス権は個々に設定していたため、データベースの管理者は自分がどこまでのアクセス権があるのかが分かりにくいものであった。
【０００７】
そこで、この発明は、構築するデータベースへの管理者が複数ある場合に、複数の管理者のデータベースへのアクセス権が一目で分かるように表示できるデータベースアクセス権設定管理システムを提供することを目的とするものである。
【課題を解決するための手段】
【０００８】
そこで、この発明は、複数のアクセス操作対象のアクセス権設定画面を表示させるデータ管理ソフトが記録された記録手段と、前記データ管理画面を表示させる表示手段と、前記データ管理画面でのデータ操作を行わせる操作手段と、前記操作手段の操作に基づいてアクセス権設定画面を前記表示手段に表示させる演算制御手段と、を備えるデータベースアクセス権設定管理システムであって、前記演算制御手段は、前記アクセス権設定画面の縦方向又は横方向の一方に前記複数のアクセス操作対象を表示させ、前記アクセス権設定画面の縦方向又は横方向の他方にアクセス条件を表示させると共に、前記複数の前記アクセス操作対象とアクセス条件の対応する位置にアクセスを許可可能とするチェックボックスをそれぞれ表示させたデータベース認証権設定管理システムとしたことを特徴とする。
【発明の効果】
【０００９】
この構成によれば、構築するデータベースへの管理者が複数ある場合に、複数の管理者のデータベースへのアクセス権が一目で分かるように表示できるので、データベースの構築のアクセス権設定の管理を容易に行うことができる。
【図面の簡単な説明】
【００１０】
【図１】この発明に係るデータベース作成管理システムの一例を示す説明図である。
【図２】図１に示した固定端末の制御回路図である。
【図２Ａ】図１に示したユーザー認証サーバの概略構成説明図である。
【図２Ｂ】図１に示した共通管理サーバの概略構成説明図である。
【図２Ｃ】図１に示した顧客サーバの概略構成説明図である。
【図２Ｄ】図１に示したシステム領域サーバの概略構成説明図である。
【図３】図１に示した移動端末の制御回路図である。
【図４】図１のデータベース作成管理システムによる表示画面を示す説明図である。
【図５】図１のデータベース作成管理システムによる表示画面を示す説明図である。
【図６】図１のデータベース作成管理システムによる表示画面を示す説明図である。
【図７】図１のデータベース作成管理システムによる表示画面を示す説明図である。
【図８】図１のデータベース作成管理システムによる表示画面を示す説明図である。
【図９】図１のデータベース作成管理システムによる表示画面を示す説明図である。
【図１０】図１のデータベース作成管理システムによる表示画面を示す説明図である。
【図１１】図１のデータベース作成管理システムによる表示画面を示す説明図である。
【図１２】図１のデータベース作成管理システムによる表示画面を示す説明図である。
【図１３】図１のデータベース作成管理システムによる表示画面を示す説明図である。
【図１４】図１のデータベース作成管理システムによる表示画面を示す説明図である。
【図１５】図１のデータベース作成管理システムによる表示画面を示す説明図である。
【図１６】図１のデータベース作成管理システムによる表示画面を示す説明図である。
【図１７】図１のデータベース作成管理システムによる表示画面を示す説明図である。
【図１８】図１のデータベース作成管理システムによる表示画面を示す説明図である。
【図１９】図１のデータベース作成管理システムによる表示画面を示す説明図である。
【図２０】図１のデータベース作成管理システムによる表示画面を示す説明図である。
【図２１】図１のデータベース作成管理システムによる表示画面を示す説明図である。
【図２２】図１のデータベース作成管理システムによる表示画面を示す説明図である。
【図２３】図１のデータベース作成管理システムによる表示画面を示す説明図である。
【図２４】図１のデータベース作成管理システムによる表示画面を示す説明図である。
【図２５】図１のデータベース作成管理システムによる表示画面を示す説明図である。
【図２６】図１のデータベース作成管理システムによる表示画面を示す説明図である。
【図２７】図１のデータベース作成管理システムによる表示画面を示す説明図である。
【図２８】図１のデータベース作成管理システムによる表示画面を示す説明図である。
【図２９】図１のデータベース作成管理システムによる表示画面を示す説明図である。
【図３０】図１のデータベース作成管理システムによる表示画面を示す説明図である。
【図３１】図１のデータベース作成管理システムによる表示画面を示す説明図である。
【図３２】図１のデータベース作成管理システムによる表示画面を示す説明図である。
【図３３】図１のデータベース作成管理システムによる表示画面を示す説明図である。
【図３４】図１のデータベース作成管理システムによる表示画面を示す説明図である。
【図３５】図１のデータベース作成管理システムによる表示画面を示す説明図である。
【図３６】図１のデータベース作成管理システムによる表示画面を示す説明図である。
【図３７】図１のデータベース作成管理システムによる表示画面を示す説明図である。
【図３８】図１のデータベース作成管理システムによる表示画面を示す説明図である。
【図３９】図１のデータベース作成管理システムによる表示画面を示す説明図である。
【図４０】図１のデータベース作成管理システムによる表示画面を示す説明図である。
【図４１】図１のデータベース作成管理システムによる表示画面を示す説明図である。
【図４２】図１のデータベース作成管理システムによる表示画面を示す説明図である。
【図４３】図１のデータベース作成管理システムによる表示画面を示す説明図である。
【図４４】図１のデータベース作成管理システムによる表示画面を示す説明図である。
【図４５】図１のデータベース作成管理システムにおけるアクセス権管理画面の説明図である。
【図４６】この発明に係るデータベースアクセス権設定管理システムのメールアカウント申請書の入力画面作成の説明図である。
【図４７】この発明に係るデータベースアクセス権設定管理システムのワークフロー設定の説明図である。
【図４８】この発明に係るデータベースアクセス権設定管理システムのメールアカウント申請書の承認画面の説明図である。
【図４９】この発明に係るデータベースアクセス権設定管理システムのアクセス権設定画面の説明図である。
【図４９Ａ】図４９のアクセス権設定画面においてグループ追加のボタンをクリックしたときに表示されるグループ一覧の画面の説明図である。
【図４９Ｂ】図４９Ａの役職を選択してクリックしたときに役職のリストが表示されたグループ一覧の説明図である。
【図５０】管理者のメールアカウント申請のデータの表示例を示す説明図である。
【図５１】一般ユーザーのメールアカウント申請のデータの表示例を示す説明図である。
【発明を実施するための最良の形態】
【００１１】
以下、この発明の実施の形態を図面に基づいて説明する。
[構成]
(i).データベース作成管理システムの概略的な構成要素
この発明に係るデータベース作成管理システムは、図１に示したように、データベース用のＷｅｂサーバシステム１と、クライアント（利用者）側の固定端末（通信端末）Ａ，Ｂと、クライアント（利用者）側のモバイル等の移動端末（通信端末）Ｃを備えている。また、データベース作成管理システムは、オンライン用の回線２を介して固定端末Ａ，ＢをＷｅｂサーバシステム１に接続するルーターやゲートウエイ等の接続用通信機器３を備えている。また、固定端末Ｂや移動端末Ｃはインターネット２ａ及び接続用通信機器３を介してＷｅｂサーバシステム１に接続されている。
【００１２】
固定端末Ａ，Ｂは、図２に示したように、文字等の入力に用いるキーボード４と、画面操作に用いるマウス５と、キーボード（画面操作手段）４やマウス（画面操作手段）５等の入力操作手段による入力信号や操作信号が入力される演算制御回路（端末制御部）である演算制御部６と、である演算制御部６に接続されたメモリ（記憶部）７と、メモリ７に記憶された制御プログラムに基づいて画面表示をする液晶表示器等の表示装置（表示手段）８を備えている。
【００１３】
移動端末Ｃは、図３に示したように、演算制御回路（端末制御部）である演算制御部９と、である演算制御部９に接続されたメモリ（記憶部）１０と、メモリ１０に記憶された制御プログラムに基づいて画面表示をするタッチパネル式の液晶表示器等の表示装置（表示手段、画面操作手段）１１を備えている。
【００１４】
尚、固定端末Ｂは、インターネットワーク２ａを介してＷｅｂサーバシステム１に接続するようにしているので、ノートタイプのものであれば移動端末としても用いることができる。
(ii).Ｗｅｂサーバシステム１の概略的な構成要素
Ｗｅｂサーバシステム１は、ユーザー認証サーバ１２と、共通管理サーバ１３と、顧客領域サーバ１４と、システム領域サーバ１５を備えている。
（ユーザー認証サーバ１２）
このユーザー認証サーバ１２は、ユーザー認証の実施に用いられ、顧客ＩＤ／ユーザーＩＤ／ＰＷ（パスワード）による認証等を行う。このユーザー認証サーバ１２は、図２Ａに示した管理サーバ制御部（管理サーバ制御回路）１２ａや記憶部（ＲＡＭやＲＯＭ等のメモリ）１２ｂ、プログラムやデータ等の記録部（ハードディスクやシリコンディスク或いは光磁気記録装置）１２ｃ等を有する。
（共通管理サーバ１３）
この共通管理サーバ１３は、図２Ｂに示した管理サーバ制御部（演算制御回路）１３ａや記憶部（ＲＡＭやＲＯＭ等のメモリ）１３ｂ、プログラムやデータ等の記録部（ハードディスクやシリコンディスク或いは光磁気記録装置）１３ｃ等を有する。そして、この共通管理サーバ１３は、全顧客に対する共通機能を提供するもので、主に各種のデータベースのテンプレートを提供する。このテンプレートには、コントロールテンプレート、フォームテンプレート、スキンテンプレート等がある。
【００１５】
この共通管理サーバ１３の記録部１３ｃには、入力データの承認画面（図４８），アクセス権設定画面（図４９）等の画面表示プログラムを有するデータ管理ソフトが記録されている。
（顧客領域サーバ１４）
この顧客領域サーバ（データサーバ、データ格納部）１４は、図２Ｃに示した図示を省略したデータサーバ制御部（演算制御回路）１４ａや記憶部（ＲＡＭやＲＯＮ等のメモリ）１４ｂ、プログラムやデータ等の記録部（ハードディスクやシリコンディスク或いは光磁気記録装置）１４ｃ等を有する。この顧客領域サーバ１４は、各顧客毎にＷｅｂＤＢ（ウエブデータベース）機能を提供するデータ格納部である。このＷｅｂＤＢ機能としては、ＷｅｂＤＢ管理機能、ＷｅｂＤＢ利用機能等がある。
（システム領域サーバ１５）
このシステム領域サーバ１５は、図２Ｄに示したシステム制御部（演算制御回路）１５ａや記憶部（ＲＡＭやＲＯＮ等のメモリ）１５ｂ、プログラムやデータ等の記録部（ハードディスクやシリコンディスク或いは光磁気記録装置）１５ｃ等を有する。このシステム領域サーバ１５は、顧客の追加・削除機能を提供すると共に、各種ソース使用状況をログ出力する。
（利用ソフトの例）
尚、ユーザー認証サーバ１２，共通管理サーバ１３，顧客領域サーバ１４，システム領域サーバ１５等のプログラムやデータ等の記録部（図示せず）には、ＣｅｎｔＯＳ，Ａｐａｃｈｅ，ＭｙＳＱＬ，Ｒｕｂｙ等のソフトが記録されている。ＣｅｎｔＯＳは、RedHatEnterpriseLinux(以下、「ＲＨＥＬ」と呼ぶ)との完全互換を目指したフリーのLinux(登録商標)ディストリビューションのソフトである。ＡｐａｃｈｅはＷｅｂサーバソフトウエアである。ＭｙＳＱＬは、フリーのデータベースソフトである。Ｒｕｂｙは、Webアプリケーションシステム管理，テキスト処理等のプログラムを書くのに用いるソフトである。
(iii).Ｗｅｂサーバシステム１のデータベース作成のための概略構成及びアクセス手順
ユーザー認証サーバ１２は、固定端末Ａから接続用通信機器３を介してＷｅｂサーバシステム１にアクセスされたり、固定端末Ｂや移動端末Ｃからインターネット２ａ及び接続用通信機器３を介してＷｅｂサーバシステム１にアクセスされたりすると、図４に示したような初期の顧客認証画面２０を固定端末Ａ，Ｂの表示装置８や移動端末Ｃの表示装置１１に表示させる。
【００１６】
この顧客認証画面２０には、ユーザーＩＤを入力するＩＤ入力部（ＩＤ入力ボックス）２１と、ＰＷ（パスワード）を入力するＰＷ入力部（ＰＷ入力ボックス）２２とクリアボタン２３と、ログインボタン２４が表示される。
【００１７】
この顧客認証画面２０では、固定端末Ａ，Ｂのキーボード４を用いてＩＤ入力部２１に顧客ＩＤを入力できると共に、ＰＷ入力部２２に顧客のパスワードを入力できる。尚、移動端末Ｃでは、表示装置１１に表示される文字ボタン等をタッチすることで、顧客ＩＤや顧客のパスワードを入力できる。
【００１８】
また、クリアボタン２３やログインボタン２４は、固定端末Ａ，Ｂのマウス５により操作できる。尚、移動端末Ｃでは、表示装置１１に表示されるクリアボタン２３やログインボタン２４をタッチすることで操作できる。このマウス５によるボタン選択操作やタッチパネル式の表示装置１１のタッチによる選択操作は、以下単に選択操作またはボタン選択操作として説明する。
【００１９】
ユーザー認証サーバ１２は、図４の顧客認証画面２０において、ＩＤ入力部２１に顧客のＩＤが正しく入力されると共にＰＷ入力部２２に顧客のパスワードが正しく入力された状態で、ログインボタン２４が選択操作されるとユーザー認証サーバ１２の制御が顧客領域サーバ１４の制御に切り替えられる。この顧客領域サーバ１４は、ユーザー認証サーバ１２からの制御が切り替えられると、図５に示したＷｅｂＤＢ利用ボタン２５とＷｅｂＤＢ管理ボタン２６が表示された選択画面２７を表示させる。
【００２０】
そして、顧客領域サーバ１４の図示しない演算制御回路（制御部）は、ＷｅｂＤＢ利用ボタン２５が選択操作されると、顧客領域サーバ１４の図示しない記録領域を検索して、顧客の管理者以外の利用者がデータの入力を行う為のＷｅｂＤＢ（ウエブデータベース）を顧客領域サーバ１４の図示しない記録領域から呼び出して、ＷｅｂＤＢの入力選択画面(図示せず)に切り替える。
【００２１】
また、顧客領域サーバ１４の図示しない演算制御回路（制御部）は、選択画面２７をＷｅｂＤＢ管理ボタン２６が選択操作されると、顧客領域サーバ１４の図示しない記録領域を検索して、顧客の管理者が管理するデータベースの選択を行う図６のようなＷｅｂＤＢ（ウエブデータベース）の管理画面（一覧画面）２８に切り替える。
【００２２】
この管理画面２８には、ＤＢ管理用メニューバー２８ａが表示されると共に、選択リスト２８ｂが表示される。また、ＤＢ管理用メニューバー２８ａには、「ＷｅｂＤＢ」，「システム管理」，「ＷｅｂＤＢ利用」，「ログアウト」等の項目が表示される。選択リスト２８ｂには、画面タイトル，オーナ（管理者），バージョン，更新日時，画面内容，種別，公開（公開・非公開），変更，削除等の項目が表示される。
【００２３】
図６のＤＢ管理用メニューバー２８ａの「ＷｅｂＤＢ」を選択操作すると、「ＷｅｂＤＢ」のプルダウンメニューには図７に示したような「ＷｅｂＤＢ一覧」，「新規フォーム作成」，「画面アクセス制御設定」，「フォームテンプレート一覧」等の項目が表示される。尚、図７のフォームテンプレート一覧を選択すると、図示を省略したデータベースの各種のテンプレートのリストが共通管理サーバ１３から読み出されて表示される。この各種のテンプレートとしては、例えばコントロールテンプレート、フォームテンプレート、スキンテンプレート等の共通管理サーバ１３に記録されたテンプレートがある。
【００２４】
そして、データベースのデータ入力画面Ｇ１、例えば画面タイトルが図８に示したような「社有車マスタ」のデータ入力画面を作成したり、この「社有車マスタ」を利用して作成した画面タイトルが図９に示したような「社有車利用管理」のデータ入力画面Ｇ２を作成する場合を一例として、この発明ついて説明する。
【００２５】
先ず、図８に示した「社有車マスタ」のデータベースのデータ入力画面Ｇ１のデータベースの項目や、図９に示したような「社有車利用管理」のデータ入力画面Ｇ２等について説明する。
（「社有車マスタ」のデータ入力画面Ｇ１の入力項目等）
図８に示した「社有車マスタ」のデータベースのデータ入力画面Ｇ１には、データベースの画面タイトルとして社有車マスタが表示されていると共に、「駐車場番号，車両番号，ミッション，備品，使用開始日，備考，車名，アドレス，表示内容」等のデータ入力の項目が表示されている。
【００２６】
そして、駐車場番号の右にはテキストボックス（番号入力ボックス）ｄＢ１がデータ入力部として表示され、車両番号の右側には地域選択用コンボボックスｄＢ２，番号入力ボックスｄＢ２１，ｄＢ２２，ｄＢ２３がデータ入力部として表示されている。
【００２７】
また、ミッションの右側にはミッションの種類であるＡＴ選択用ラジオボタンＲＢ１，ＭＴ選択用ラジオボタンＲＢ２がデータ入力部として表示され，備品の右側には装備される備品チェック用のＥＴＣチェックボックスＣｈＢ１，ナビチェックボックスＣｈＢ２がデータ入力部として表示されている。
【００２８】
更に、使用開始日の右側には日付入力ボックスｄＢ３がデータ入力部として表示されていると共にカレンダーアイコンＣＬが日付選択用に表示され、備考の右側には備考入力ボックスｄＢ４がデータ入力部として表示され、車名の右側には車名入力ボックスｄＢ５がデータ入力部として表示され、アドレスの右側にはアドレス入力ボックスｄＢ６がデータ入力部として表示され、表示内容の右側には内容入力ボックスｄＢ７がデータ入力部として表示されている。
【００２９】
また、データ入力画面Ｇ１の左下には「キャンセル」ボタンが表示され、データ入力画面Ｇ１の右下には次の入力画面を表示させる「次へ」ボタンが表示されている。
【００３０】
このデータ入力画面Ｇ１において、テキストボックス（番号入力ボックス）ｄＢ１，地域選択用コンボボックスｄＢ２，番号入力ボックスｄＢ２１，ｄＢ２２，ｄＢ２３，ＡＴ選択用ラジオボタンＲＢ１，ＭＴ選択用ラジオボタンＲＢ２，備品チェック用のＥＴＣチェックボックスＣｈＢ１，ナビチェックボックスＣｈＢ２，日付入力ボックスｄＢ３，備考入力ボックスｄＢ４，車名入力ボックスｄＢ５，アドレス入力ボックスｄＢ６，内容入力ボックスｄＢ７等は、データ入力部となる。
（「社有車利用管理」のデータ入力画面Ｇ２の入力項目等）
図９の「社有車利用管理」のデータ入力画面Ｇ２には、画面タイトルとして社有車利用管理」が表示されていると共に、「管理番号，社有車，代表利用者，利用開始日，利用終了日，利用目的，車両状態、備考」等の項目が表示される。この「社有車利用管理」のデータ入力画面Ｇ２の作成も「社有車マスタ」のデータ入力画面Ｇ１と同様にして作成されるので、データ入力画面Ｇ２の詳細な説明は省略する。このデータ入力画面Ｇ２でも、「管理番号，社有車，代表利用者，利用開始日，利用終了日，利用目的，車両状態、備考」等の項目の右側の入力ボックスやボタン等（符号省略）はデータ入力部となる。
【００３１】
第1の作成方法は、図８に示したような「社有車マスタ」のデータ入力画面や図９に示したような「社有車利用管理」のデータ入力画面のテンプレートが予めＷｅｂサーバシステム１側に容易されている場合には、「ＷｅｂＤＢ」のプルダウンメニューの「フォームテンプレート一覧」を選択してフォームテンプレート一覧を表示させ、この一覧から「社有車マスタ」又は「社有車利用管理」のテンプレートを選択する。そして、この選択したテンプレートを用いて「社有車マスタ」や「社有車利用管理」のデータ入力画面を作成する。
【００３２】
また、第2の作成方法は、図７の「新規フォームの作成」をクリックして選択操作する。この「新規フォームの作成」をクリックすると、図１０に示したような新規フォーム作成のためのフォーム情報入力画面２９が表示される。
【００３３】
このフォーム情報入力画面２９には、フォーム作成方法の項目に対応してラジオボタンである新規選択ボタン３０，ラジオボタンであるテンプレート利用ボタン３１，テンプレート選択ボックス３２，テンプレート選択用の選択ボタン３３，画面タイトル入力ボックス３４，画面内容入力ボックス３５，カテゴリ入力ボックス３６，キャンセルボタン３７，作成ボタン３８等が表示される。
【００３４】
固定端末Ａ，Ｂやではマウス５によるカーソル(図示せず)操作により、移動端末Ｃではタッチパネル式の表示装置１１のタッチにより、新規選択ボタン３０，テンプレート利用ボタン３１，テンプレート選択用の選択ボタン３３，キャンセルボタン３７，作成ボタン３８等のボタン操作を行うことができる。
【００３５】
そして、ラジオボタンであるテンプレート利用ボタン３１を選択操作して、テンプレート選択用の選択ボタン３３をクリック操作またはタッチ操作することにより、既に作成されているデータベースを雛形化したテンプレートのリストを表示させて、このリストからデータベースのテンプレートを選択して、テンプレート選択ボックス３２に表示させることができる。
【００３６】
また、マウス５によるカーソル(図示せず)やタッチパネル式の表示装置１１のタッチにより、画面タイトル入力ボックス３４，画面内容入力ボックス３５，カテゴリ入力ボックス３６等を選択すると、固定端末Ａ，Ｂではキーボード４により画面タイトル入力ボックス３４，画面内容入力ボックス３５，カテゴリ入力ボックス３６等に文字入力等を行うことができる。この入力は移動端末Ｃでも表示装置１１に表示される文字ボタン等をタッチ操作することで、実行できる。
【００３７】
そして、例えば図１１に示したように、画面タイトル入力ボックス３４には「社有車マスタ」というタイトルを入力でき、画面内容入力ボックス３５には「社有車マスタ」の内容が「社有車のマスタです」という画面内容を入力でき、カテゴリ入力ボックス３６には「社有車マスタ」が「マスタ」というカテゴリであることを入力できる。
(iv).Ｗｅｂサーバシステム１によるデータベース作成のための詳細構成
以下、固定端末Ａ，Ｂや移動端末Ｃによる入力操作は同様に実行できるので、固定端末Ａによる操作によりデータベースの新規のフォームを作成する場合について説明し、固定端末Ｂや移動端末Ｃによる操作については説明を省略する。この説明においては、会社で所有する車両の管理に用いるデータベース、即ち「社有車マスタ」を作成する場合をデータベース作成の一例として説明する。
【００３８】
上述したように、図７の「新規フォームの作成」をクリックして選択操作する。この「新規フォームの作成」をクリックして、図１０に示したような新規フォーム作成のためのフォーム情報入力画面２９が表示させる。
【００３９】
そして、このフォーム情報入力画面２９において、新規選択ボタン３０を選択操作すると、新規選択ボタン３０内に選択操作されたことを意味する黒丸３０ａが表示される。この状態で上述したようにして、例えば画面タイトル入力ボックス３４には「社有車マスタ」というタイトルを入力し、画面内容入力ボックス３５には「社有車マスタ」の内容が「社有車のマスタです」という画面内容を入力し、カテゴリ入力ボックス３６には「社有車マスタ」が「マスタ」というカテゴリであることを入力する。この入力後に、作成ボタン３８を選択操作する。
【００４０】
この操作により顧客領域サーバ１４の図示しない演算制御回路（制御部）は、共通管理サーバ１３を制御して、共通管理サーバ１３の図示しない演算制御回路（制御部）により図１２に示したデータベース作成画面（管理ソフト作成画像）３９を表示させる。
【００４１】
この図１２のデータベース作成画面３９は、顧客領域サーバ１４の図示しない演算制御回路（演算制御手段）により作成されるデータ入力部を表示させる画面作成エリア（入力フォーム表示エリア）４０と、画面作成エリア（入力フォーム表示エリア）４０にデータ入力部を作成表示させる画面作成操作表示エリア４１を有する。
Ａ．画面作成操作表示エリア４１
この画面作成操作表示エリア４１は、図１２，図１３に示したように画面作成エリア（入力フォーム表示エリア）４０のデータ入力部の作成に用いるコントロールアイコンバー４２と、データ入力部の項目作成や配置、入力条件等その他の設定操作に用いる入力条件設定用表示エリア４３を有する。
ａ．コントロールアイコンバー４２
このコントロールアイコンバー４２へのコントロール用のアイコンの配置は、図12，図１３に示したようにすることもできる。また、コントロール用のアイコンの配置の他の例としては、図４６に示したように使用頻度の高いものを見える位置に配置し且つ使用頻度の低いものを拡張機能用のアイコン１００で呼び出すように設定できる。
＜図12，図１３に示した配置のアイコンの説明＞
このコントロールアイコンバー４２には、ゴミ箱用コントロール（ゴミ箱用アイコン）４２ａ，「丸内に中黒」で示したラジオボタン作成用コントロール（ラジオボタン作成用アイコン）４４，「四角」の線で示したチェックボタン作成用コントロール（チェックボタン作成用アイコン）４５，「左右に細長い長方形の枠内に縦線と下向き三角形」で示したコンボボックス作成用コントロール（コンボボックス作成用アイコン）４６が配置されている。
【００４２】
また、コントロールアイコンバー４２には、「あいうえお」で示した一行のテキストボックス作成用コントロール（テキストボックス作成用アイコン）４７，「１２３４５」で示した数値入力ボックス作成用コントロール（数値入力ボックス作成用アイコン）４８，「2行のあいうえお」で示した数行のテキストボックス作成用コントロール（テキストボックス作成用アイコン）４９，「カレンダーアイコン」で示した日付入力ボックス作成用コントロール（日付入力ボックス作成用アイコン）５０が配置されている。
【００４３】
更に、コントロールアイコンバー４２には、「ＵＲＬ」で示したＵＲＬ入力ボックス作成用コントロール（ＵＲＬ入力ボックス作成用アイコン）５１，「直角に曲がった矢印が用いられたアイコン」で示したマスタ連係ボックス作成用コントロール（マスタ連係ボックス作成用アイコン）５２，「ａｕｔｏ」で示した自動番号ボックス作成用コントロール（自動番号ボックス作成用アイコン）５３，画面情報確認用の画面情報設定ボタン５４，「ギヤが表示されているアイコン」で示したコントロール一括設定ボタン５５等が配置されている。
【００４４】
尚、図示の便宜上、図１４以降では、ラジオボタン作成用コントロール４４，チェックボタン作成用コントロール４５，コンボボックス作成用コントロール４６，一行のテキストボックス作成用コントロール４７，数値入力ボックス作成用コントロール４８，数行のテキストボックス作成用コントロール４９，日付入力ボックス作成用コントロール５０，ＵＲＬ入力ボックス作成用コントロール５１，マスタ連係ボックス作成用コントロール５２，自動番号ボックス作成用コントロール５３等を、そのまま用いるか、又は説明の便宜のために単にコントロール４４〜５３等として用いる。また、コントロールアイコンバー４２のコントロール（アイコン）４４〜５３やボタンの符号は、図面に必要に応じて附して説明する。
・ゴミ箱用コントロール４２ａ
このゴミ箱用コントロール４２ａは、画面作成エリア４０に作成されたボタンや入力ボックスをマウスでドラックアンドドロップ操作によりゴミ箱用コントロール４２ａまで移動させることで、画面作成エリア４０に作成されたボタンや入力ボックスを削除するのに用いられる。
・ラジオボタン作成用コントロール４４
このラジオボタン作成用コントロール４４は、マウスでドラックアンドドロップ操作することにより画面作成エリア４０にラジオボタンを作成するのに用いられる。
・チェックボタン作成用コントロール４５
このチェックボタン作成用コントロール４５は、マウスでドラックアンドドロップ操作することにより画面作成エリア４０にチェックボタンを作成するのに用いられる。
・コンボボックス作成用コントロール４６
このコンボボックス作成用コントロール４６は、マウスでドラックアンドドロップ操作することにより画面作成エリア４０にコンボボックスを作成するのに用いられる。
・テキストボックス作成用コントロール４７
このテキストボックス作成用コントロール４７は、マウスでドラックアンドドロップ操作することにより画面作成エリア４０にテキスト入力ボックスを作成するのに用いられる。
・数値入力ボックス作成用コントロール４８
この数値入力ボックス作成用コントロール４８は、マウスでドラックアンドドロップ操作することにより画面作成エリア４０に数値入力ボックスを作成するのに用いられる。
・テキストボックス作成用コントロール４９
このテキストボックス作成用コントロール４９は、マウスでドラックアンドドロップ操作することにより画面作成エリア４０に長文のテキスト入力ボックスを作成するのに用いられる。
・日付入力ボックス作成用コントロール５０
この日付入力ボックス作成用コントロール５０は、マウスでドラックアンドドロップ操作することにより画面作成エリア４０に日付入力ボックスを作成するのに用いられる。
・ＵＲＬ入力ボックス作成用コントロール５１
このＵＲＬ入力ボックス作成用コントロール５１は、マウスでドラックアンドドロップ操作することにより画面作成エリア４０にＵＲＬ入力ボックスを作成するのに用いられる。
・マスタ連係ボックス作成用コントロール５２
このマスタ連係ボックス作成用コントロール５２は、マウスでドラックアンドドロップ操作することにより画面作成エリア４０に連係操作用ボックスを作成するのに用いられる。
・自動番号ボックス作成用コントロール５３
この自動番号ボックス作成用コントロール５３は、マウスでドラックアンドドロップ操作することにより画面作成エリア４０に自動番号入力ボックスを作成するのに用いられる。
・画面情報確認用の画面情報設定ボタン５４
この画面情報確認用の画面情報設定ボタン５４は、作成したデータベースの入力画面を表示させて、データベースの入力画面の確認をするために用いられる。
・コントロール一括設定ボタン５５
このコントロール一括設定ボタン５５は、作成したデータベースの項目のコントロール内容（例えば、必須の有無、一意の有無、一覧での表示順、検索対象の有無、表示アライン、ラベルの有無、Ｘ座標やＹ座標の位置等）を確認したり、設定し直したりするのに用いられる。
＜図４６に示したアイコンの配置例の説明＞
（コントロールアイコンバー４２）
上述した図１２のデータベース作成画面（管理ソフト作成画像）３９を表示させた例では、ＵＲＬ入力ボックス作成用コントロール５１、マスタ連係ボックス作成用コントロール５２、自動番号ボックス作成用コントロール５３等がコントロールアイコンバー４２に常時表示されている例を示した。
【００４５】
しかし、このＵＲＬ入力ボックス作成用コントロール５１、マスタ連係ボックス作成用コントロール５２、自動番号ボックス作成用コントロール５３等は、使用頻度が少ないので、コントロールアイコンバー４２に常時表示されているようにする必要性はない。これらは、拡張機能に組み込むことができる。
【００４６】
従って、図４６では、データベース作成画面（管理ソフト作成画像）３９にコントロールアイコンバー４２に拡張機能用のアイコン１００を設けている。この拡張機能用のアイコン１００は図１２のコントロールアイコンバー４２に組み込んで用いられる。
【００４７】
また、この拡張機能用のアイコン１００は、上述したＵＲＬ入力ボックス作成用コントロール５１、マスタ連係ボックス作成用コントロール５２、自動番号ボックス作成用コントロール５３を呼び出すようになっている。この図４６のデータベース作成画面３９では、メールアカウント申請書の入力画面を作成している。
【００４８】
また、この図４６のコントロールアイコンバー４２には、拡張機能用のアイコン１００の他に、ワークフローアイコンであるワークフローコントロール１０２、アクセス権設定用のアイコンであるコントロール（アクセス権設定用アイコン）１０２ａを設けているが、説明は省略する。
（画面作成エリア４０でのメールアカウント申請者の入力画面構成）
ワークフローコントロール１０２をクリックする前に、図４６の画面作成エリア４０を用いてメールアカウント申請者の入力画面を設計する。
【００４９】
この画面作成エリア４０には、ワークフローの画面に承認経路に表示させる画像（イメージ）を配置する。図４６では、イメージとして例えばステータス、申請・・・、部門管理者、システム担当者等や画像表示設定ボックス１０３を設定する。
尚、画像表示設定ボックス１０３内に選択入力する項目としては、例えば「申請者」、「１次承認者」、「２次承認者」、「３次承認者」等を設けている。そして、「ステータス」の右に画像表示設定ボックス１０３を複数配置して、配置される複数の画像表示設定ボックス１０３に「申請者」、「１次承認者」、「２次承認者」、「３次承認者」を順にそれぞれ選択入力した場合、図４８のメールアカウント申請書の「ステータス」、「申請者」、「１次承認者」、「２次承認者」、「３次承認者」の経路を表示可能になる。
【００５０】
また、画面作成エリア４０には、「ステータス」の下に位置させて「申請／承認日」の項目が配置されている。さらに、画面作成エリア４０には、「申請区分」、「メール区分」、「所属区分」、「処理希望日」、「氏名／団体」、「氏名／団体」の「よみがな」、「氏名／団体」の「ローマ字」、「氏名／団体」の「メールアドレス」の項目を設ける。この「メールアドレス」には「第1希望」、「第２希望」、「第３希望」等の項目を設けている。また、画面作成エリア４０には、「メモ」、「システム担当者入力」の項目を設けている。この「システム担当者入力」の項目としては、「パスワード」、「連絡欄」等の項目を設けている。
【００５１】
この「申請区分」の項目の右には、申請区分を設定する申請設定ボックス１０４が設けられている。この申請区分としては、例えば、新規、・・・等がある。この申請設定ボックス１０４および申請区分のリストは、コンボボックス作成用コントロール４６を用いて予め設定しておくことができる。そして、申請区分のリストは、申請設定ボックス１０４の右端のリストボタン１０４ａをクリックすることでプルダウン形式で表示できる。そして、このリストから設定内容を選択することにより、申請設定ボックス１０４を設定できるようになっている。図では「新規」が設定されている。
【００５２】
「メール区分」の項目の右には、申請対象を設定する申請対象設定ボックス１０５が設けられている。この申請対象としては、例えば、個人、団体（グループ）、役職、・・・等がある。この申請対象設定ボックス１０５および申請対象のリストは、コンボボックス作成用コントロール４６を用いて予め設定しておくことができる。そして、申請対象のリストは、申請対象設定ボックス１０５の右端のリストボタン１０５ａをクリックすることでプルダウン形式で表示できる。そして、このリストから設定内容を選択することにより、申請対象設定ボックス１０５を設定できるようになっている。図では「個人」が設定されている。
【００５３】
「所属区分」の項目の右には、所属区分を設定する所属設定ボックス１０６が設けられている。この所属区分としては、例えば、会社や団体における第1営業部、第2営業部、庶務、経理部、設計部、企画部等その他の部署等を一例として挙げることができる。この所属設定ボックス１０６および所属区分のリストは、コンボボックス作成用コントロール４６を用いて予め設定しておくことができる。そして、所属区分のリストは、所属設定ボックス１０６の右端のリストボタン１０６ａをクリックすることによりプルダウン形式で表示できる。そして、このリストから設定内容を選択することにより、所属設定ボックス１０６に所属を設定できるようになっている。図では、設定されていない。
【００５４】
「処理希望日」の項目の右には処理希望日を入力する日付入力ボックス１０８が設けられている。「氏名／団体」の項目の右には対象入力ボックス１０９が設けられている。この「氏名／団体」のよみがなやローマ字を入力させるため、「氏名／団体」の項目に下側に「よみがな」、「ローマ字」、「メールアドレス」等の項目が設けられている。この「よみがな」右には文字入力ボックス１０９ａが設けられ、「ローマ字」の右には文字入力ボックス１０９ｂが設けられ、「メールアドレス」の右側には「第1希望」のアドレス入力ボックス１０９ｃ、「第２希望」のアドレス入力ボックス１０９ｄ、「第３希望」のアドレス入力ボックス１０９ｅが設けられている。
【００５５】
また、「パスワード」の項目の右にはパスワードを入力する入力ボックス１１０が設けられ、「連絡欄」の項目の右にはシステム担当者へ連絡内容を入力する入力ボックス１１１が設けられている。
【００５６】
尚、上述した項目や入力ボックス等は一例を示したもので、メールアカウント申請者の入力画面には上述した項目以外の項目や入力ボックス等を設定できる。
【００５７】
このようなメールアカウント申請者の画面の作成は、画面作成エリア４０および画面作成操作表示エリア４１のコントロールアイコンバー４２と、入力条件設定用表示エリア４３を用いて行われる。
【００５８】
尚、図４６では図４８のメールアカウント申請者の画面に表示させた内容と一部異なる画像の作成例を示しているが、図４８のメースアカウント申請の画面は、図４６の画面作成エリア４０および画面作成操作表示エリア４１のコントロールアイコンバー４２と、入力条件設定用表示エリア４３を用いて行われる。
（ワークフローコントロール１０２によるワークフロー設定）
図４６のようなメールアカウント申請者の入力画面を用いて図４８のメールアカウント申請者の入力画面を生成させる。そして、ワークフローコントロール１０２をクリックすると、図４７に示したようなワークフロー設定画面１２０を呼び出すことが出来る。
【００５９】
このワークフロー設定画面１２０では、入力データを承認するためのアクセス権や、データベースのデータの入力・変更・修正・削除等のデータ入出力のためのアクセス権等その他承認するアクセス権設定ができる。
【００６０】
このワークフロー設定画面１２０には、「ワークフロー実施」、「承認数」、「フロー途中終了」、「承認者の選択」、「承認依頼メール通知」、「差し戻しメール通知」、「メール内容編集」等の設定項目が表示されると共に、アクセス権設定のリスト１２１が表示されるようになっている。
（表示項目の内容）
また、ワークフロー設定画面１２０には、「ワークフロー実施」のためのチェックボックス１２２、「承認数」のための承認数入力ボックス１２３、「フロー途中終了」のための承認用設定ボックス１２４等が設けられている。承認数入力ボックス１２３には数値選択のリストを表示させるボタン１２３ａが設けられている。このボタン１２３ａをクリックすることでプルダウンの数値選択リスト「０、１，２・・・ｎ」が表示され、このリスト「０、１，２・・・ｎ」から承認数を選択設定できる。承認用設定ボックス１２４にはワークフローの承認者数、経路、承認者を選択するリストを表示させるためのボタン１２４ａが設けられている。このボタン１２４ａをクリックすることでプルダウンの選択ボックス（図示せず）が表示され、この図示しない選択ボックスからワークフローの承認者数、経路、承認者等を承認用設定ボックス１２４内に選択設定できる。
【００６１】
尚、選択ボックス１２４ａ内には、例えば、承認数入力ボックス１２３に入力される値が「３」である場合、「申請者」のみ、「申請者→１次承認者→２次承認者→３次承認者」等その他の経路が選択可能に自動的に生成表示される。そして、この選択ボックス１２４ａ内から「申請者→１次承認者→２次承認者→３次承認者」を選択すれば、選択経路として図４８に示したメールアカウント申請書の承認画面に「ステータス、申請者→１次承認者→２次承認者→３次承認者」が表示されるようになっている。
【００６２】
更に、ワークフロー設定画面１２０には、「承認者の選択」のための選択ボックス１２５、承認依頼メール通知のチェックボックス１２６、差し戻しメール通知のチェックボックス１２７、メール内容編集のチェックボックス１２８が表示されるようになっている。
【００６３】
「承認者の選択」のための選択ボックス１２５にはプルダウンの選択ボックス（図示せず）が表示される。この選択ボックス（図示せず）には、「申請者が全て選択」、「なし」、特定項目例えば「システム担当者」、或いは「1次」〜「ｎ次」等のリストを設定しておく。この設定は、コンボボックス作成用コントロール４６を用いて行うことが出来る。
（アクセス権設定のリスト１２１）
図４６のようなメールアカウント申請者の入力画面において、ワークフローコントロール１０２をクリックすると、アクセス権設定のリスト１２１には図４６の画面作成エリア４０に作成したメールアカウント申請者の入力画面の項目に対応する項目の「コントロール名称」が自動的に生成されて表示されるようになっている。
【００６４】
ここでは、図４６のメールアカウント申請者の入力画面には、「申請日」、「部門管理者承認日」、「システム担当者承認日」、「申請区分」、「メールアドレス（第１希望）」、「メールアドレス（第２希望）」、「メールアドレス（第３希望）、「氏名/団体名」、「処理希望日」等の項目が設定されている場合について説明する。
【００６５】
図４７のアクセス権設定のリスト１２１には、図４６のメールアカウント申請者の入力画面に作成した、「申請日」、「部門管理者承認日」、「システム担当者承認日」、「申請区分」、「メールアドレス（第１希望）」、「メールアドレス（第２希望）」、「メールアドレス（第３希望）、「氏名/団体名」、「処理希望日」等の項目が自動的に生成されて表示される。
【００６６】
また、この際、アクセス権設定のリスト１２１には「完了後」Ａ１、申請者である「申請」Ａ２の項目が表示される。しかも、アクセス権設定のリスト１２１には、「申請者」の項目の右側に１次〜ｎ次の承認者である「１次」〜「ｎ次」Ａ３〜Ａｎのアクセス権を設定するための項目が設けられている。
【００６７】
上述した例では、承認数入力ボックス１２３で設定した承認数に対応する数が「３」であるので、「コントロール名称」Ａ０にリスト表示された項目Ｂ０，Ｂ１〜Ｂｉ〜Ｂｎに対応して「完了後」Ａ１、「申請」Ａ２、「１次」Ａ３〜「３次」Ａ５のアクセス権を設定できる。このアクセス権としては、何も設定されない「なし」、「変更」、「照会」等がある。
【００６８】
また、「コントロール名称」Ａ０にリスト表示された項目Ｂ０〜Ｂｎと「完了後」Ａ１、「申請」Ａ２、「１次」Ａ３〜「ｎ次」Ａｎの対応する箇所のセルをクリックすることで、この箇所のセルに設定する内容である「なし」、「変更」、「照会」のリストをコンボボックス等でリスト表示させることができる。そして、この「なし」、「変更」、「照会」のリストから選択することにより、セルに「なし」、「変更」、「照会」のいずれかを設定できる。
【００６９】
例えば、「申請日」Ｂ０と「完了後」Ａ１，「申請」Ａ２，「１次」Ａ３〜「３次」Ａ５にそれぞれ対応するセルをC1〜C5とすると、セルC1には「なし」の設定の「−」が設定され、セルC２には「変更」の設定が表示され、セルC２〜C5には「照会」の設定がされている。他の項目に対しても同様な設定ができる。
【００７０】
そして、このような設定が完了した後は、「適用」のボタン１２９をクリックすることで、詳細な設定が完了する。このような設定を各申請者毎に設定する。
【００７１】
このように詳細なアクセス権の条件設定は、ワークフローコントロール１０２をクリックして図４７のワークフロー設定の画面で行うことができる。そして、このようなワークフロー設定におけるアクセス権の設定は、ワークフロー設定者（データベースの入力画面を作成する管理者）により行われる。
【００７２】
そして、このような承認数すなわち１次，二次，・・・の数や詳細なデータ入力の為の項目の「変更」、「照会」等の設定後に、「適用」のボタン１２９をクリックすると、設定内容が登録される。
【００７３】
また、この承認数すなわち１次，二次，・・・の承認者の数の設定登録後は、承認のためのアクセス権を設定するための図４９に示したような画面を表示させることができる。
【００７４】
この図４９のアクセス権設定の画面は、図４６のアカウント設定コントロールようのアイコンをクリックすることで、表示させることが出来る。この画面が表示されると、最初は「全グループ」のみが表示される。この画面において、グループ追加の項目の「グループ追加」ボタン１４０をクリックして、図４７で示したアクセス権限を設定する。
【００７５】
この図４９の画面において、「グループ追加」ボタン１４０をクリックすると、図４９Ａに示したグループ一覧画面が表示される。このグループ一覧画面には、検索条件設定部１４１が表示される。
【００７６】
検索条件設定部１４１には、グループ／ユーザーの項目の右側にグループのチェック部１４２、ユーザーのチェック部１４３を有する。また、検索条件設定部１４１には、グループ／ユーザーの項目の下側に位置させてグループ種別、グループ名称の項目が設けられていると共に、グループ種別の右側にグループ設定ボックス１４４が表示され、グループ名称の項目に右側に名称入力ボックス１４５が表示される。
【００７７】
そして、グループ設定ボックス１４４のボタン１４４ａをクリックすることで、検索条件設定部１４１の下側にグループのリスト１４６が表示される。本実施例では、「役職」のみが表示されているが、「役職」以外のグループを設定できる。
【００７８】
このリスト１４６から「役職」を選択して、図４９Ｂに示したようにグループ種別のグループ設定ボックス１４４に「役職」を設定し、検索ボタン１４７をクリックすると、「役職」に関連するリスト１４８が表示される。このリスト１４８には、たとえば、チームリーダ，マネージャ，副本部長，取締役社長・・・等の役職が表示される。また、このリスト１４８には、各役職に対応させてチェックボックス１４９がそれぞれ表示される。このチェックボックス１４９をチェックして、選択ボタン１５０をクリックすることで、チェックされたされたチェックボックス１４９に対応する役職が図４９のワークフローの権限の部分に表示される。
【００７９】
図４９では、このようにして選択された「全グループ」、「ユーザー：１１０００５６６：小松誠二」、「所属：高知支店＞法人営業部」、「役職：課長」がワークフローの権限のコラムにアクセス対象としてリストアップされている。
【００８０】
また、図４９では、ワークフローの権限が与えられるグループＧのアクセス対象Ｇ１〜Ｇｎと「完了後」Ａ１、「申請」Ａ２、「１次」Ａ３〜「ｎ次」Ａｎとに対応するセルの部分にそれぞれチェックボックス１３０を表示させている。この「完了後」Ａ１、「申請」Ａ２、「１次」Ａ３〜「ｎ次」Ａｎ等はアクセス条件（承認条件すなわち認証条件）になる。
【００８１】
そして、申請者と「完了後」Ａ１、「申請」Ａ２、「１次」Ａ２〜「ｎ次」Ａｎとに対応するセルの部分のチェックボックス１３０をチェックするのみで、承認のためのアクセス権（承認権）を設定できる。
【００８２】
チェックボックス１３０が設けられるのは、「設定完了後」Ａ１，「申請」Ａ２の外に図４７での承認数に対応するだけ設けられるので、承認数が「３」の場合には「設定完了後」Ａ１，「申請」Ａ２の外に「１次」，「２次」，「３次」に対応する部分にのみ設けられる。この設定は、図４７の設定を適用することで、自動的に行われる。
【００８３】
従って、複数の申請者のアクセス権設定（承認権設定すなわち認証条件設定）を単にチェックボックス１３０へのチェックのみで容易に設定できる。この設定の解除もチェックボックス１３０のチェックを外すのみで容易にできる。
【００８４】
図４９の例では、「完了後」および「申請」のチェックボックス１３０は全てチェックされているので、誰でもアクセス権設定（承認権設定）の申請は可能である。また、1次の申請者は「役職：課長」で設定されている。この１次の承認者に指定できるのは役職が課長の人のみである。また、2次の承認者に指定できるのは、所属が「高知支店の営業部の法人営業の人のみ」に設定されている。更に、３次の承認者は「ユーザーIDが１１０００５６６の人のみ」に設定されている。このような設定は、図４９のアクセス権設定の画面でチェックボックス１３０をクリックすることでチェックおよびチェック解除の操作を行うことで容易に変更できる。
【００８５】
また、図４９では、ワークフローの権限のコラムに「全グループ」、「ユーザー：１１０００５６６：小松誠二」、「所属：高知支店＞法人営業部。山中純青」、「役職：課長」が承認対象（認証操作対象すなわちアクセス対象）としてリストアップされている。ここで、課長は木村治之であるとすると、図４８に示したメールアカウント申請者の承認画面の「申請者」が「木村治之」、「１次承認者」が「木村治之」、「２次承認者」が「山中純青」、「３次承認者」が「小松誠二」となる。
【００８６】
尚、図４６のデータベース作成画面（管理ソフト作成画像）３９を利用する場合には、図５のＷｅｂＤＢ管理ボタン２６をクリックした後、図７の新規フォーム作成やフォームテンプレート一覧を選択して、図４６のデータベース作成画面（管理ソフト作成画像）３９を表示させることが出来るように設定しておく。また、図４６のメールアカウント申請者の承認画面の作成時に、メールアカウント申請用のコントロール１０２ａをクリックすると、図５０のメールアカウント申請の画面が表示される。図４６での作業者が全ての権限を有する管理者である場合には、図５０に示したように全てのメールアカウント申請のデータが表示される。
【００８７】
また、一般のユーザーの場合には、ＷｅｂＤＢ管理ボタン２６をクリックしたとき、図５１に示したように、自分が関係しているメールアカウント申請のデータのみが表示されるように設定しておくことができる。図５１では、「木村治之」がログインしたメールアカウント申請者のリストであるので、「木村治之」に関するデータのみがリストアップされている。
【００８８】
図５０，５１のメールアカウント申請のデータのリストにおいて、「照会」の項目には検索マーク１５１が表示され、「変更」の項目には承認画面における変更（承認）を許可する承認画面表示用アイコン１５２が表示される。この「照会」の項目の検索マーク１５１は全てのデータに対して表示される。また、承認画面表示用アイコン１５２は、図４９で設定されたアクセス対象とアクセス条件に対応するデータにのみ表示設定される。即ち、チェックボックス１３０でチェックされたアクセス対象とアクセス条件に一致するデータに表示される。
（図４８のメールアカウント申請書の承認画面）
図５０，図５１に示したメールアカウント申請の画面において、承認画面表示用アイコン１５２をクリックすると、図４８のメールアカウント申請書の承認画面が表示される。
【００８９】
この図４８の承認画面には、図４６で作成した承認画面内容が表示される。この承認画面には、差戻しボタン１３１、仮保存ボタン１３２、承認ボタン１３３が表示されていると共に、「承認／差戻し送信メール内容」の入力ボックス１３４が表示される。
【００９０】
そして、「ステータス」の項目の下には、上述した「１次承認待ち」、「2次承認待ち」、「３次承認待ち」、「完了」等のワークフローの承認状況が表示される。また、この承認状況の下には、「申請／承認日」の項目が表示される。この「申請／承認日」の右側には、承認ボタン１３３がクリックされたときに、承認日付が表示される。図４８では「２０１２年７月２６日」が承認日として表示されている。
【００９１】
このようにして作成したワークフロー承認画面のプログラムのソフトは、本実施例で示したデータベース以外のデータベースにアドオンさせることで、他のデータベースでも使用できる。
ｂ．入力条件設定用表示エリア４３
(b-1).基本的表示
図１２，図１３では、入力条件設定用表示エリア４３内になにも表示していない。
【００９２】
コントロールアイコンバー４２のコントロール４４〜５３を画面作成エリア（入力フォーム表示エリア）４０に固定端末Ａ，Ｂのマウス５や移動端末Ｃの表示装置１１のタッチパネルのタッチ移動操作等で画面作成エリア４０によりドラックアンドドロップ操作して、コントロール４４〜５３に対応するボックスやボタンを画面作成エリア４０に作成した場合、入力条件設定用表示エリア４３には、項目名称入力ボックス（入力条件設定部）５６およびラベル用チェックボックス（入力条件設定部）５７が操作部として表示されると共に、項目名称入力ボックス５６の他に、画面作成エリア４０に作成されるテキストボックスｄＢ１に必要な条件を入力するための条件設定部（操作部）が表示される。尚、ラベル用チェックボックス５７は、項目名称入力ボックス５６に入力された項目名称を、コントロール４４〜５３により画面作成エリア４０に作成されるボックスやボタンの項目名称とするか否かを設定するために用いられる。そして、ラベル用チェックボックス５７がチェック操作されたときに、項目名称入力ボックス５６に入力された項目名称がコントロール４４〜５３により画面作成エリア４０に作成されるボックスやボタンの左に、コントロール４４〜５３により画面作成エリア４０に作成されるボックスやボタンの項目名称として表示される。
【００９３】
例えば、コントロールアイコンバー４２のテキストボックス作成用コントロール４７を画面作成エリア（入力フォーム表示エリア）４０に固定端末Ａ，Ｂのマウス５や移動端末Ｃの表示装置１１のタッチパネルのタッチ移動操作等で画面作成エリア４０によりドラックアンドドロップ操作した場合、図１４に示したように画面作成エリア４０にテキストボックスｄＢ１が作成される。この画面作成エリア４０にテキストボックスｄＢ１を作成すると、このテキストボックスｄＢ１の項目名称を入力するための項目名称入力ボックス５６および項目名称入力ボックス５６に入力された項目名称をテキストボックスｄＢ１のラベルとするか否かを設定するラベル用チェックボックス５７が操作部として表示される。
【００９４】
そして、固定端末Ａ，Ｂのキーボード４や移動端末Ｃの表示装置１１のタッチパネルの操作により項目名称入力ボックス５６に項目名称を入力して、ラベル用チェックボックス５７をチェック操作してラベル用チェックボックス５７にチックマークを入れると、画面作成エリア４０のテキストボックスｄＢ１の左側に項目名称入力ボックス５６に入力された項目名称がテキストボックスｄＢ１の項目名称として表示される。
【００９５】
また、入力条件設定用表示エリア４３には、項目名称入力ボックス５６およびラベル用チェックボックス５７の他に、画面作成エリア４０に作成されるテキストボックスｄＢ１に必要な条件を入力するための条件設定部（操作部）も表示される。
【００９６】
即ち、図１４において入力条件設定用表示エリア４３には、データ入力部に必ず文字やデータを入力させるか否かを設定する必須チェックボックス（入力条件設定部）５８と、データ入力部に入力される文字やデータを重複登録をできないようにするか否かを設定する一意チェックボックス（入力条件設定部）５９と、データ入力部に入力される文字やデータを検索に利用するか否かを設定する検索対象チェックボックス（入力条件設定部）６０等の操作部が表示される。
【００９７】
更に、入力条件設定用表示エリア４３には、一覧でも表示順を設定する表示順入力部（表示順数字入力ボックス、入力条件設定部）６１と、表示アラインを設定する左寄せアイコン（入力条件設定部）６２，中央寄せアイコン（入力条件設定部）６３，右寄せアイコン（入力条件設定部）６４等の操作部が表示される。
【００９８】
また、入力条件設定用表示エリア４３には、データ入力部に入力させる内容の説明のためのヘルプ内容入力部６５と、初期値入力部６６と、接頭辞入力部６７と、接尾辞入力部６８と、データ入力部の入力文字数入力部６９と、データ入力部のX座標入力部７０およびY座標入力部７１と、項目名称入力部６０に入力されて画面作成エリア４０に作成されるラベルの項目名称のラベルX座標入力部７２およびラベルY座標入力部７３等の操作部が表示される。
【００９９】
図１４において入力条件設定用表示エリア４３の入力部等に付した符号は、他の図では必要に応じて付して説明する。
(b-2).入力条件設定用表示エリア４３への他の表示
・ラジオボタン作成用コントロール４４による選択内容操作の表示
コントロールアイコンバー４２のラジオボタン作成用コントロール４４を用いて画面作成エリア４０に図１９のようにラジオボタンを貼り付けた場合には、ラジオボタンで選択する内容を選択させる選択内容入力部７４を入力条件設定用表示エリア４３に操作部として表示させる。
・チェックボタン作成用コントロール４５による選択内容操作の表示
コントロールアイコンバー４２のチェックボタン作成用コントロール４５を用いて画面作成エリア４０に図２１のようにチェックボックスを貼り付けた場合には、チェックボックスで選択する内容を選択させる選択内容入力部７５を入力条件設定用表示エリア４３に操作部として表示させる。
・コンボボックス作成用コントロール４６による選択内容操作の表示
また、コントロールアイコンバー４２のコンボボックス作成用コントロール４６を用いて画面作成エリア４０に図１５のようにコンボボックスをデータ入力部として貼り付けた場合には、コンボボックスで選択させる内容を選択内容入力部７６と入力条件設定用表示エリア４３に操作部として表示させる。
・数値入力ボックス作成用コントロール４８による設定操作の表示
更に、コントロールアイコンバー４２の数値入力ボックス作成用コントロール４８を用いて画面作成エリア４０に数値入力ボックスを図１７のようにデータ入力部として貼り付けた場合には、数値入力ボックスに入力する数値の桁数を設定する桁数入力設定部７７と、数値の区切りをカンマ表示するか否かを設定するチェックボックス７８を入力条件設定用表示エリア４３に操作部として表示させる。
・日付入力ボックス作成用コントロール５０による設定操作の表示
また、コントロールアイコンバー４２の日付入力ボックス作成用コントロール５０を用いて画面作成エリア４０に日付入力ボックスを図２２のようにデータ入力部として貼り付けた場合には、日付入力ボックスに入力する日付の初期値の設定部７９や、日付表示スタイルを選択設定する選択部８０を入力条件設定用表示エリア４３に操作部として表示させる。
[作用]
次に、このような構成のデータベース作成管理システムによるデータベース作成および作成したデータベースの入力、承認の一例を説明する。
（１）．データベースの作成
ユーザーが固定端末Ａ，Ｂや移動端末Ｃ等からオンライン用の回線２やインターネット２ａと接続用通信機器３を介してデータベース用のＷｅｂサーバシステム１にアクセスする。このアクセスは、固定端末Ａ，Ｂのキーボード４やマウス５又は移動端末Ｃの表示装置１１のタッチパネルを介して実行する。
【０１００】
このアクセスにより、データベース用のＷｅｂサーバシステム１のユーザー認証サーバ１２は、図４の顧客認証画面２０を接続用通信機器３およびオンライン用の回線２やインターネット２ａを介して固定端末Ａ，Ｂや移動端末Ｃに送信して、固定端末Ａ，Ｂの表示装置８や移動端末Ｃの表示装置１１に表示させる。以下、単に表示と省略してある場合には、Ｗｅｂサーバシステム１のユーザー認証サーバ１２，共通管理サーバ１３，顧客領域サーバ１４およびシステム領域サーバ１５等による固定端末Ａ，Ｂや移動端末Ｃ等への表示は単に表示を意味する。
【０１０１】
そして、図４の顧客認証画面２０にはユーザー（顧客）のＩＤ入力部２１にとＰＷ（パスワード）入力部２２が表示されている。この状態においてユーザーは、固定端末Ａ，Ｂのキーボード４や移動端末Ｃの表示装置１１のタッチパネルを用いて、ＩＤ入力部２１に顧客ＩＤを入力すると共にＰＷ入力部２２に顧客のパスワードを入力する。
【０１０２】
このＩＤ入力部２１に顧客ＩＤとＰＷ入力部２２に顧客のパスワードがＩＤ入力部２１とＰＷ入力部２２に正しく入力された状態で、ユーザーはログインボタン２４を固定端末Ａ，Ｂのマウス５や移動端末Ｃの表示装置１１のタッチパネルにより選択操作する。
【０１０３】
この操作によりユーザー認証サーバ１２の制御が顧客領域サーバ１４の制御に切り替えられる。この顧客領域サーバ１４は、ユーザー認証サーバ１２からの制御が切り替えられると、図５に示したＷｅｂＤＢ利用ボタン２５とＷｅｂＤＢ管理ボタン２６が表示された選択画面２７を固定端末Ａ，Ｂの表示装置８や移動端末Ｃの表示装置１１に表示させる。
【０１０４】
そして、顧客領域サーバ１４の図示しない演算制御回路（制御部）は、固定端末Ａ，Ｂのマウス５や移動端末Ｃの表示装置１１のタッチパネルにより選択画面２７のＷｅｂＤＢ管理ボタン２６が選択操作されると、顧客領域サーバ１４の図示しない記録領域を検索して、顧客の管理者が管理するデータベースの選択を行う図６のようなＷｅｂＤＢ（ウエブデータベース）の管理画面（一覧画面）２８を固定端末Ａ，Ｂの表示装置８や移動端末Ｃの表示装置１１に表示させる。
【０１０５】
この管理画面２８には、ＤＢ管理用メニューバー２８ａが表示されると共に、選択リスト２８ｂが表示される。また、ＤＢ管理用メニューバー２８ａには、「ＷｅｂＤＢ」，「システム管理」，「ＷｅｂＤＢ利用」，「ログアウト」等の項目が表示される。選択リスト２８ｂには、画面タイトル，オーナ（管理者），バージョン，更新日時，画面内容，種別，公開（公開・非公開），変更，削除等の項目が表示される。
【０１０６】
ユーザーは、固定端末Ａ，Ｂのマウス５や移動端末Ｃの表示装置１１のタッチパネルにより、図６のＤＢ管理用メニューバー２８ａの「ＷｅｂＤＢ」を選択操作すると、「ＷｅｂＤＢ」のプルダウンメニューには図７に示したような「ＷｅｂＤＢ一覧」，「新規フォーム作成」，「両画面アクセス制御設定」，「フォームテンプレート一覧」等の項目が表示される。
【０１０７】
そして、データベースのデータ入力画面、例えば画面タイトルが図８に示したような「社有車マスタ」のデータ入力画面を作成する場合、固定端末Ａ，Ｂのマウス５や移動端末Ｃの表示装置１１のタッチパネルにより、図７の「新規フォームの作成」をクリックして選択操作する。尚、図８に示した「社有車マスタ」のデータベースには、駐車場番号，車両番号，ミッション（トランスミッション），備品，使用開始日，備考，車名，アドレス，表示内容等のデータ入力の項目が設定されている。
【０１０８】
この図８に示した「社有車マスタ」を作成する場合、図７の「新規フォームの作成」をクリックして、図１０に示したような新規フォーム作成のためのフォーム情報入力画面２９が表示させる。
【０１０９】
このフォーム情報入力画面２９には、フォーム作成方法の項目に対応してラジオボタンである新規選択ボタン３０，ラジオボタンであるテンプレート利用ボタン３１，テンプレート選択ボックス３２，テンプレート選択用の選択ボタン３３，画面タイトル入力ボックス３４，画面内容入力ボックス３５，カテゴリ入力ボックス３６，キャンセルボタン３７，作成ボタン３８等が表示される。
【０１１０】
ユーザーは、固定端末Ａ，Ｂのマウス５や移動端末Ｃの表示装置１１のタッチパネルにより、ラジオボタンであるテンプレート利用ボタン３１を選択操作することにより、既に作成されているデータベースを雛形化したテンプレートのリストを表示させて、このリストからデータベースのテンプレートを選択して、テンプレート選択ボックス３２に表示させることができる。
【０１１１】
また、マウス５によるカーソル(図示せず)やタッチパネル式の表示装置１１のタッチにより、画面タイトル入力ボックス３４，画面内容入力ボックス３５，カテゴリ入力ボックス３６等を選択すると、固定端末Ａ，Ｂではキーボード４により画面タイトル入力ボックス３４，画面内容入力ボックス３５，カテゴリ入力ボックス３６等に文字入力等を行うことができる。この入力は移動端末Ｃでも表示装置１１に表示される文字ボタン等をタッチ操作することで、実行できる。
【０１１２】
従って、ユーザーは、固定端末Ａ，Ｂのマウス５や移動端末Ｃの表示装置１１のタッチパネルにより、図１１に示した画面タイトル入力ボックス３４，画面内容入力ボックス３５，カテゴリ入力ボックス３６に移動して、固定端末Ａ，Ｂのキーボード４や移動端末Ｃの表示装置１１のタッチパネルにより内容を入力する。例えば、図１１に示したように、画面タイトル入力ボックス３４には「社有車マスタ」というタイトルを入力し、画面内容入力ボックス３５には「社有車マスタ」の内容を「社有車のマスタです」という画面内容を入力し、カテゴリ入力ボックス３６には「社有車マスタ」というカテゴリを入力する。この入力後に、図１１の画面の作成ボタン３８を選択操作する。
【０１１３】
この選択操作により、固定端末Ａ，Ｂの表示装置８や移動端末Ｃの表示装置１１には、顧客領域サーバ１４により図１２に示したデータベース作成画面３９が表示される。この状態では、データベース作成画面３９の画面作成エリア４０や入力条件設定用表示エリア４３には何も表示されていない状態である。この状態から、図８に示した「社有車マスタ」の駐車場番号，車両番号，ミッション，備品，使用開始日，備考，車名，アドレス，表示内容等を作成する場合について、各項目ごとに順に説明する。
（駐車場番号）
コントロールアイコンバー４２の各種のアイコンを固定端末Ａ，Ｂのマウス５や移動端末Ｃの表示装置１１のタッチパネルの操作により画面作成エリア４０にドラッグアンドドロップすると、アイコンに対応するボックスやボタンが顧客領域サーバ１４により画面作成エリア４０に作成される。
【０１１４】
従って、項目名称が駐車場番号に関するデータ入力部を作成する場合、先ずコントロールアイコンバー４２のテキストボックス作成用コントロール４５を図１３の矢印Ａ１で示したように画面作成エリア４０にドラッグアンドドロップする。これにより画面作成エリア４０にテキストボックスｄＢ１が作成される。
【０１１５】
この操作に伴い、顧客領域サーバ１４は、図１４に示したような入力条件設定用表示エリア４３の表示を行わせる。この画面作成エリア４０にテキストボックスｄＢ１をデータ入力部として作成すると、このテキストボックスｄＢ１の項目名称を入力するための項目名称入力ボックス５６および項目名称入力ボックス５６に入力された項目名称をテキストボックスｄＢ１のラベルとするか否かを設定するラベル用チェックボックス５７が入力条件設定用表示エリア４３に操作部として表示される。以下、入力条件設定用表示エリア４３への表示制御は顧客領域サーバ１４により行われるが、顧客領域サーバ１４についての説明は省略する。
【０１１６】
そして、固定端末Ａ，Ｂのキーボード４や移動端末Ｃの表示装置１１のタッチパネルの操作により項目名称入力ボックス５６に項目名称を例えば「駐車場番号」と入力して、ラベル用チェックボックス５７をチェック操作してラベル用チェックボックス５７にチックマークを入れると、画面作成エリア４０のテキストボックスｄＢ１の左側に項目名称入力ボックス５６に入力された項目名称「駐車場番号」がテキストボックスｄＢ１の項目名称として表示される。
（他の条件設定部）
また、入力条件設定用表示エリア４３には、項目名称入力ボックス５６およびラベル用チェックボックス５７の他に、画面作成エリア４０に作成されるテキストボックスｄＢ１に必要な条件を入力するための他の条件設定部（操作部）も表示される。
【０１１７】
即ち、図１４において入力条件設定用表示エリア４３には、データ入力部に必ず文字やデータを入力させるか否かを設定する必須チェックボックス５８と、データ入力部に入力される文字やデータを重複登録をできないようにするか否かを設定する一意チェックボックス５９と、データ入力部に入力される文字やデータを検索に利用するか否かを設定する検索対象チェックボックス６０等の操作部が表示される。
【０１１８】
更に、入力条件設定用表示エリア４３には、一覧でも表示順を設定する表示順入力部（表示順数字入力ボックス）６１と、表示アラインを設定する左寄せアイコン６２，中央寄せアイコン６３，右寄せアイコン６４等の操作部が表示される。
【０１１９】
また、入力条件設定用表示エリア４３には、データ入力部に入力させる内容の説明のためのヘルプ内容入力部（入力条件設定部）６５と、初期値入力部（入力条件設定部）６６と、接頭辞入力部（入力条件設定部）６７と、接尾辞入力部（入力条件設定部）６８と、データ入力部の入力文字数入力部（入力条件設定部）６９と、データ入力部のX座標入力部（入力条件設定部）７０およびY座標入力部（入力条件設定部）７１と、項目名称入力部６０に入力されて画面作成エリア４０に作成されるラベルの項目名称「駐車場番号」のラベルX座標入力部（入力条件設定部）７２およびラベルY座標入力部（入力条件設定部）７３等の操作部が表示される。
【０１２０】
尚、画面作成エリア４０に作成されるテキストボックスｄＢ１に必要な条件（一意、配置等）を入力するための他の条件設定部は、画面作成エリア４０に作成される他のボックスやボタンが作成される場合にも、他のボックスやボタンの（一意、配置等）等の条件設定のために入力条件設定用表示エリア４３に表示される。この他の条件設定部の設定操作内容はテキストボックスｄＢ１の場合と同様に行われるので、以下の説明では他のボックスやボタンの他の条件設定部の説明を省略する。
（車両番号）
次に、コントロールアイコンバー４２のコンボボックス作成用コントロール４６を画面作成エリア４０にドラッグアンドドロップして、画面作成エリア４０に図１５のように地域選択用コンボボックスｄＢ２をデータ入力部として貼り付けた場合には、項目名称入力ボックス５６に項目名称を例えば「車両番号＿県」と入力してラベル用チェックボックス５７にチックマークを入れると、画面作成エリア４０の地域選択用コンボボックスｄＢ２の左側に項目名称入力ボックス５６に入力された項目名称「車両番号＿県」が図１７に示したように地域選択用コンボボックスｄＢ２の項目名称として表示される。
【０１２１】
この地域選択用コンボボックスｄＢ２で選択させる内容を選択内容入力部７６が入力条件設定用表示エリア４３に操作部として表示される。この選択内容入力部７６には、選択項目のリストとして「香川、愛媛、高知・・・」等の県名が入力されている。この地域選択用の県名は、コンボボックスｄＢ２の操作で選択できる。尚、図１６に示したように画面作成エリア４０に間違ったボックスＥを作成してしまった場合、このボックスＥをゴミ箱用コントロール４２ａにドラッグアンドドロップ操作することにより、ボックスＥを削除できる。
【０１２２】
また、図１７に示したように、数値入力ボックス作成用コントロール４８を地域選択用コンボボックスｄＢ２の右側にドラッグアンドドロップして、番号入力ボックスｄＢ２１を作成すると共に、同様にして図１８に示したように番号入力ボックスｄＢ２１の右側に番号入力ボックスｄＢ２２を作成し、図１９に示したように番号入力ボックスｄＢ２１の右側に番号入力ボックスｄＢ２３を作成する。
（ミッション）
次に、図１９に示したように、ラジオボタン作成用コントロール４４を画面作成エリア４０にドラッグアンドドロップして、画面作成エリア４０にラジオボタン（図１９のＲＢ１、図２０のＲＢ１，ＲＢ２）を作成すると、図１９に示したような入力条件設定用表示エリア４３が表示される。この入力条件設定用表示エリア４３の項目名称入力ボックス５６に「ミッション」という項目名称を入力してラベル用チェックボックス５７にチェックマークを入れると、ラジオボタンの左側にラジオボタンの項目名称が「ミッション」として表示される。
【０１２３】
また、コントロールアイコンバー４２のラジオボタン作成用コントロール４４を用いて画面作成エリア４０に図１９のようにラジオボタンを貼り付けると、ラジオボタンで選択する内容を選択させる選択内容入力部７４が入力条件設定用表示エリア４３に操作部として表示される。この選択内容入力部７４には、図１９に示したようにラジオボタンで選択させる選択内容がＡＴ（オートマチック車）、ＭＴ（マニュアル車）のリストが設定されている。
【０１２４】
そして、ラジオボタンを作成した状態で選択内容入力部７４のＡＴを選択すると、図２０に示したようにＡＴ選択用ラジオボタンＲＢ１の右には選択内容の「ＡＴ」が表示され、作成されたラジオボタンがＡＴ選択用ラジオボタンＲＢ１となる。
【０１２５】
また、ラジオボタン作成用コントロール４４を画面作成エリア４０にドラッグアンドドロップして、図２０のようにＡＴ選択用ラジオボタンＲＢ１の右側にラジオボタンを貼り付けて、選択内容入力部７４のＭＴを選択すると、ＡＴ選択用ラジオボタンＲＢ１の右側のラジオボタンがＭＴ選択用ラジオボタンＲＢ２となる。（備品）次に、図２１に示したように、チェックボタン作成用コントロール４５を画面作成エリア４０にドラッグアンドドロップして、画面作成エリア４０にチェックボックス（図２２のＣｈＢ１、ＣｈＢ２）を作成すると、図２１に示したような入力条件設定用表示エリア４３が表示される。この入力条件設定用表示エリア４３の項目名称入力ボックス５６に「備品」という項目名称を入力してラベル用チェックボックス５７にチェックマークを入れると、チェックボックスの左側にチェックボックスの項目名称が「備品」として表示される。
【０１２６】
また、コントロールアイコンバー４２のチェックボタン作成用コントロール４５を用いて画面作成エリア４０に図２１のようにチェックボックスを貼り付けた場合には、ラジオボタンで選択する内容を選択させる選択内容入力部７５が入力条件設定用表示エリア４３に操作部として表示される。この選択内容入力部７５には、図２１に示したようにチェックボックスで選択させる選択内容がＥＴＣ、ナビのリストが設定されている。そして、チェックボックスを作成した状態で選択内容入力部７５のＥＴＣを選択すると、チェックボックスの右には選択内容の「ＥＴＣ」が表示され、作成されたチェックボックスがＥＴＣ選択用チェックボックスＣｈＢ１となる。また、次にＥＴＣ選択用チェックボックスＣｈＢ１の右側に他のチェックボックスを貼り付けて、選択内容入力部７５のナビを選択すると、ＥＴＣ選択用チェックボックスＣｈＢ１の右側のチェックボックスがナビ選択用チェックボックスＣｈＢ２となる。
（使用開始日）
また、コントロールアイコンバー４２の日付入力ボックス作成用コントロール５０を用いて画面作成エリア４０に日付入力ボックスｄＢ３を図２２のようにデータ入力部として貼り付けると、図２２に示したような入力条件設定用表示エリア４３が表示される。この入力条件設定用表示エリア４３の項目名称入力ボックス５６に「使用開始日」という項目名称を入力してラベル用チェックボックス５７にチェックマークを入れると、日付入力ボックスｄＢ３の左側に項目名称が「使用開始日」として表示されると共に、日付選択用のカレンダーアイコンＣＬが表示される。
【０１２７】
これに伴い、入力条件設定用表示エリア４３には、日付入力ボックスｄＢ３に入力する日付の初期値の設定部７９や、日付表示スタイルを選択設定する選択部８０を入力条件設定用表示エリア４３に操作部として表示される。
（備考）
次に、テキストボックス作成用コントロール４９を画面作成エリア４０にドラックアンドドロップ操作することにより、画面作成エリア４０に長文のテキスト入力ボックスを備考入力ボックスｄＢ４として作成すると、図２４に示したような入力条件設定用表示エリア４３が表示される。
【０１２８】
この入力条件設定用表示エリア４３の項目名称入力ボックス５６に「備考」という項目名称を入力してラベル用チェックボックス５７にチェックマークを入れると、備考入力ボックスｄＢ４の左側に項目名称が「備考」として表示される。（車名）
次に、図２５に示したようにコントロールアイコンバー４２のテキストボックス作成用コントロール４５を図２５の矢印Ａ２で示したように画面作成エリア４０にドラッグアンドドロップすると、画面作成エリア４０にテキストボックスが作成される。これに伴い、図２５に示したような入力条件設定用表示エリア４３が表示される。
【０１２９】
この入力条件設定用表示エリア４３の項目名称入力ボックス５６に「車名」という項目名称を入力してラベル用チェックボックス５７にチェックマークを入れると、テキストボックスの左側に項目名称が「車名」として表示され、テキストボックスが車名入力ボックスｄＢ５となる。
【０１３０】
そして、図２６のコントロール一括設定ボタン５５をクリックすると、「社有車マスタ」に作成した図２７に示したような項目名称、必須、一意、一覧での表示順、検索対象、表示ライン、ラベル、Ｘ座標、Ｙ座標、削除等の項目を有する設定内容が表示されて、項目名称に対する設定内容が一括して確認できる。この設定内容の項目を操作することで、設定内容を変更できる。この後、適用ボタン８１をクリックすることで、設定内容が確定する。
【０１３１】
この「社有車マスタ」の画面情報を確認するには、図２８の画面情報確認用の画面情報設定ボタン５４をクリックする。これにより図２９に示した画面情報が表示される。この画面情報には、画面タイトル、画面内容、カテゴリ、適用公開ステータス、画面遷移パターン、登録メッセージ、オーナ、フォームテンプレート等が表示される。本実施例では、画面タイトルが「社有車マスタ」、画面内容が「社有車マスタです」、カテゴリが「マスタ」、適用公開ステータスが「未公開」、画面遷移パターンが「登録＞確認＞結果表示」、登録メッセージ、オーナが「管理者４」、フォームテンプレートが「テンプレート登録」として表示されている。尚、カテゴリを設定しておくと、ＷｅｂＤＢが増えたときに探しやすくなる。また、図３０に示したように登録メッセージにユーザーが利用する画面の遷移パターンを登録できる。例えば、入力数が多く、いちいち確認する必要がない場合、登録＞結果表示を選択する。
【０１３２】
この内容で、よければ適用ボタン８１をクリックすることで、図３１に示した登録確認のボックス８２が表示され、「はい」を選択してクリックすると、「社有車マスタ」のＷｅｂＤＢが顧客領域サーバ（データ格納部）１４に登録（記録）される。この登録後にＤＢ管理用メニューバー２８ａのＷｅｂＤＢをクリックして、ＷｅｂＤＢのＷｅｂＤＢ一覧をクリックして登録されたデータベースの一覧を図３２のように表示させる。この図３２のデータベースの一覧には「社有車マスタ」があるので、「社有車マスタ」が登録されているのを確認できる。この登録は最初の登録であるので、Ｖｅｒ０．１となる。尚、図３２のデータベースの一覧の画面タイトルに表示された「社有車マスタ」の項目も、作成されているデータベースのマスタである。
【０１３３】
この後、項目を追加したい場合、例えばアドレスや表示内容の追加をしたい場合、図３３に示したように、ＵＲＬ入力ボックス作成用コントロール５１を画面作成エリア４０にドラッグアンドドロップして、画面作成エリア４０にアドレス入力ボックスｄＢ６や表示内容の内容入力ボックスｄＢ７を作成して、登録する。
【０１３４】
このような操作により、図３４に示したようなＷｅｂＤＢ一覧画面には管理者４の「社有車マスタ」のＶｅｒ０．２が作成されていることが確認できる。
（２）．「社有車マスタ」へのデータ入力
この「社有車マスタ」を利用する場合、ＤＢ管理用メニューバー２８ａのＷｅｂＤＢ利用をクリックして、図３５に示したＷｅｂＤＢ一覧画面を表示させ、「社有車マスタ」をクリックして選択する。この選択操作により図２３の画面タイトルが「社有車マスタ」の入力のための画面を表示させる。図２６３、初めてのデータ入力のための画面であるので、なにも登録されていない。この画面において、追加ボタンをクリックして、図３７のデータ入力画面を表示させる。
【０１３５】
このデータ入力画面において、各項目名称「駐車場番号，車両番号，ミッション，備品，使用開始日，備考，車名，アドレス，表示内容」等のデータ入力部にキーボード４や表示装置１１のタッチパネルを利用してデータ入力を行った後、ＷｅｂＤＢデータ登録をクリックすることにより、図３８に示した「社有車マスタ」に入力したデータの確認画面に遷移する。この確認画面で入力データを確認した後、登録ボタンをクリックすることにより、「社有車マスタ」へのデータ入力及び登録が完了する。
（３）．「社有車マスタ」を利用した「社有車利用管理」のデータベース作成
上述したようにして作成した「社有車マスタ」のデータを他のデータベースで利用する場合、例えば「社有車マスタ」にリンクする図９に示した画面タイトルが「社有車利用管理」というデータベースを作成する場合、新規のフォームを作成するときと同様に、ＤＢ管理用メニューバー２８ａのＷｅｂＤＢをクリックして、図７のＷｅｂＤＢのプルダウンメニューから新規フォーム作成を選択してクリックする。この選択により、図１０に示したフォーム情報入力画面２９を表示させて、この新規なフォーム情報入力画面２９の画面タイトルに図３９に示したように例えば「社有車利用管理」を入力して作成をクリックし、図４０のデータベース作成画面３９を表示させる。
【０１３６】
このデータベース作成画面３９において、コントロールアイコンバー４２の自動番号ボックス作成用コントロール５４を画面作成エリア４０にドラッグアンドドロップし、登録番号自動作成ボックス８３を画面作成エリア４０に作成させる。尚、この登録番号自動作成ボックス８３を画面作成エリア４０には、「社有車利用管理」のデータベースに登録するデータの番号の数値を採番される順に自動で登録される。
【０１３７】
このデータベース作成画面３９の入力条件設定用表示エリア４３の項目名称入力ボックス５６に「自動番号１」という項目名称を入力すると、図４０に示したように画面作成エリア４０の登録番号自動作成ボックス８３内に「自動番号１」が表示される。
【０１３８】
また、図４１に示したように項目名称入力ボックス５６に「管理番号」という項目名称を入力すると共に、ラベル用チェックボックス５７をチェックすると、画面作成エリア４０の登録番号自動作成ボックス８３の前に「管理番号」という項目名称入力ボックス５６の項目名称が表示される。
【０１３９】
次に、図４２に示したように、マスタ連係ボックス作成用コントロール５２を画面作成エリア４０にドラッグアンドドロップして、登録番号自動作成ボックス８３の下に画面作成エリア４０に連係用ボックス８４を作成する。
【０１４０】
そして、この連係用ボックス８４の項目名称を「連係元フォーム」とし、連係用ボックス８４の選択用のボタンをクリックすると、図４３に示した選択リスト８４ａが表示される。この選択リスト８４ａは、どの画面フォームの情報をマスタとして連係するかを設定するためのもので、先に作成されて登録されているマスタが表示される。尚、システムの機能として初めから予めマスタを用意しておいて選択リスト８４ａに表示させることもできるので、このマスタとして例えばされているユーザーマスタ、所属マスタ、役職マスタ等を用意しておいて選択リスト８４ａに表示させることもできる。また、図４３では、図４２の登録番号自動作成ボックス８３を図示の便宜上省略している。
【０１４１】
この選択リスト８４ａから連係元フォームである「社有車マスタ」を選択して連係用ボックス８４内に入力し、「社有車利用管理」の連係元フォームを「社有車マスタ」に設定する。
【０１４２】
同様にして、連係元フォームの連係用ボックス８４で選択されたマスタに関連する内容を設定するための連係用ボックス８５，８６，８７を画面作成エリア４０に作成する。
【０１４３】
そして、連係用ボックス８５の項目名称を連係キー選択イメージに設定する共に連係用ボックス８５内に選択リスト８５ａから選択して駐車場番号−車名を入力する。尚、選択リスト８５ａは、一意項目をキーとして利用するもので、その表示方法を選択する。
【０１４４】
また、連係用ボックス８６の項目名称を表示形式に設定すると共に連係用ボックス８６内に選択リスト８６ａから選択してキー：ラベルを入力する。尚、選択リスト８６ａは、画面に表示する際に、キー（連係キー選択イメージで指定した表示方法）をラベル、キーラベル、キーとするのかを設定するのに用いられる。
【０１４５】
更に、連係用ボックス８７の項目名称をラベルに設定すると共に連係用ボックス８７内に選択リスト８７ａから車名を選択して入力する。この選択リスト８７ａには、社有車マスタの項目名称が表示される。尚、この設定は一例を示したもので、これに限定されるものではない。
【０１４６】
このようにして連係設定を行った後、適用ボタンをクリックすることで、「社有車利用管理」のデータベースの連係設定が完了する。尚、更にマスタ連係ボックス作成用コントロール５３をドラッグアンドドロップすることにより追加の設定を行うこともできる。
【０１４７】
また、このように「社有車マスタ」に連係させた「社有車利用管理」に、必要な項目を「社有車マスタ」の項目の作成と同様にして作成（詳細な説明は省略）することにより、図９に示した画面タイトルが「社有車利用管理」というデータベースを作成する。
（４）．データベースの公開利用
上述したようにして作成された「社有車マスタ」や「社有車利用管理」等のデータベースを「公開」に設定しておくと、図４４に示したような「社有車マスタ」や「社有車利用管理」の画面タイトルの項目が表示され、「社有車マスタ」や「社有車利用管理」の項目のデータベースを選択することで、選択した項目のデータベースの入力画面を表示させて、データを入力することができる。
（５）．データベースへのアクセス管理１
上述した図６のＷｅｂＤＢ（ウエブデータベース）の管理画面（一覧画面）２８には、ＤＢ管理用メニューバー２８ａが表示されると共に、選択リスト２８ｂが表示される。また、ＤＢ管理用メニューバー２８ａには、「ＷｅｂＤＢ」，「システム管理」，「ＷｅｂＤＢ利用」，「ログアウト」等の項目が表示される。選択リスト２８ｂには、画面タイトル，オーナ（管理者），バージョン，更新日時，画面内容，種別，公開（公開・非公開），変更，削除等の項目が表示される。
【０１４８】
この図６の「システム管理」をマウスによるクリック操作或いはタッチパネルの場合はタッチ操作で選択すると、「ユーザー一覧」，「新規ユーザー登録」，「グループメンテナンス」，「システム稼働設定」等の項目が表示される。また、図６のＤＢ管理用メニューバー２８ａの「ＷｅｂＤＢ」を選択操作すると、「ＷｅｂＤＢ」のプルダウンメニューには図７に示したような「ＷｅｂＤＢ一覧」，「新規フォーム作成」，「画面アクセス制御設定」，「フォームテンプレート一覧」等の項目が表示される。
【０１４９】
この「画面アクセス制御設定」をマウスによるクリック操作或いはタッチパネルの場合はタッチ操作で選択すると、図４５に示したようなデータベースのアクセス管理画面２８ｃが表示される。このアクセス管理画面２８ｃの上縁部には、アクセス管理画面２８ｃの選択バーＢＳが設けられている。このアクセス管理画面２８ｃを開くことで、WebDBの一覧およびアクセス制御設定状況を表示できる。
【０１５０】
このアクセス管理画面２８ｃの選択バーＢＳには「画面／グループ」ｓ−１の項目と「設定変更部」ｓ−２が設けられている。また、アクセス管理画面２８ｃには、「画面／グループ」ｓ−１の項目の下方に位置させて作成された複数のデータベースのリストが同時に表示されている。このデータベースのリストは、データベースグループの名称データベースの名称）がフォルダーのアイコンと共に表示されている。
【０１５１】
また、「設定変更部」ｓ−２は、データベースのリストの権限管理部Ｍ１と、グループ管理部ＧＭを有する。この権限管理部Ｍ１は、「照会」，「変更」，「追加」，「削除」等の設定変更の項目を有する。また、グループ管理部ＧＭは、「グループ削除」，「グループ追加」の設定変更の項目を有する。
【０１５２】
ここで、データベースへの利用者のアクセス制限は、例えば「社有車利用管理」や「社有車マスタ」など、前述のデータベース作成管理システムで作成した、複数のデータベースを、図４５に示したとおり、一画面でアクセス制限状況を一覧表示するとともに、アクセス制限の追加・変更などの一元管理をすることができる。
【０１５３】
図４５で、例えば「安否確認台帳」のフォルダーを開くと、「安否確認台帳」の内容のデータベースとして「所属：情報システム本部」，「所属：情報システム本部＞システム開発部＞システム開発第3チーム」，「所属：文化部＞写真部」等のリストが「安否確認台帳」の下に表示される。
【０１５４】
尚、各データベースのグループ名称のフォルダーを開いてグループ名称に含まれるデータベースの名称をリスト表示させると、グループ名称に含まれるデータベースの各名称の右側に「照会」，「変更」，「追加」，「削除」等の設定変更の項目に対応するチェックボックスが表示される。図４５のグループデータベースの「安否確認台帳」では、「安否確認台帳」の内容のデータベースとして「所属：情報システム本部」，「所属：情報システム本部＞システム開発部＞システム開発第3チーム」，「所属：文化部＞写真部」等のデータベースの名称の右側にチェックボックスｃｈ１ｂ〜ｃｈ４ｂがそれぞれ表示される。
【０１５５】
この場合、「所属：情報システム本部」のチェックボックスｃｈ１ｂにチェックマークが入っているので、「情報システム本部」以下に所属する全てのユーザーは「安否確認台帳」を照会（閲覧）できるが、チェックボックスｃｈ２ｂ〜ｃｈ４ｂにはチェックマークが入っていないので、データを追加したり、変更・削除したりすることはできない。
【０１５６】
また、「情報システム本部＞システム開発部＞システム開発第3チーム」では、チェックボックスｃｈ２ｂ〜ｃｈ４ｂにチェックマークが入っているので、「システム開発第3チーム」以下に所属するユーザーのみ「安否確認台帳」のデータを追加・変更・削除できる。
【０１５７】
更に、設定されているグループの中で複数のグループに所属している場合は、各権限（照会、変更、追加、削除）毎に論理和でアクセス権限が設定される（照会権限が設定されているグループに１つでも所属していれば、WebDBに対する照会権限がある）。
（６）．データベースへのアクセス管理２
図４６以降の構成を用いることで、上述した（５）のデータベースへのアクセス管理１とは別のアクセス権の管理を行うことができる。
（管理者のアクセス権）
図５のＷｅｂＤＢ管理ボタン２６をクリックして、図７の新規フォーム作成やフォームテンプレート一覧からフォームテンプレートを選択し、或いは作成中または作成したデータベースのリストから変更したいデータベースを選択して、図１２に示したデータベース作成画面（管理ソフト作成画像）３９を表示させる。この図１２のコントロールアイコンバー４２には、上述した図４６の拡張機能用のアイコン１００が組み込まれていない。しかし、以下の説明では、上述したように図４６の拡張機能用のアイコン１００が組み込まれているものとして説明する。
【０１５８】
そして、このデータベース作成画面（管理ソフト作成画像）３９において、ワークフローコントロール１０２をクリックすると、図４６に示したメールアカウント申請書の承認画面をデータベース作成画面に表示させることが出来る。この図４６以降の構成では、上述した図４７のワークフロー設定で説明したアクセス条件を設定できると共に、図４９のアクセス権限の設定画面でアクセス権を設定できる。図４９のアクセス権限の設定画面では、複数のアクセス対象のチェックボックス１３０のチェックのみでアクセス権を簡易に設定できる。複数のアクセス対象は、個人、グループ、役職等その他を個別又は組み合わせて設定できる。図４９では、アクセス対象として「全グループ」、「ユーザー：１１０００５６６：小松誠二」、「所属：高知支店＞法人営業部」、「役職：課長」がワークフローの権限のコラムにアクセス対象としてリストアップされている。
【０１５９】
また、メールアカウント申請用のコントロール１０２ａをクリックすると、図５０に示した管理者のメールアカウント申請の画面を表示させるように設定できる。この管理者のメールアカウント申請の画面では図５０に示したように全てのデータが表示されるようにできる。
（一般ユーザーのアクセス権）
一方、一般のユーザーの場合には、図５のＷｅｂＤＢ利用ボタン２５をクリックして、図５１に示したように、自分が関係しているデータのみが表示されるように設定できる。図５１では、「木村治之」がログインしたメールアカウント申請者のリストであるので、「木村治之」に関するデータのみがリストアップされている。
【０１６０】
図５０，図５１のメールアカウント申請の画面において、「照会」Ｓ、「変更」Ｍ、アクセス条件（認証条件）になる。この「照会」Ｓは全てのデータに対して「照会」の検索マーク１５１が設定されている。また、「変更」Ｍのデータは、図４９のアクセス権の設定画面でチェックボックス１３０にチェックされたアクセス対象とアクセス条件（１次、２次、３次・・・）に対応して承認画面表示用アイコン１５２が設定されている。この承認画面表示用アイコン１５２は、図４９で設定されたアクセス対象とアクセス条件に対応するデータにのみ表示設定される。即ち、チェックボックス１３０でチェックされたアクセス対象とアクセス条件に一致するデータに表示される。
【０１６１】
そして、検索マーク１５１の一つをクリックすると、クリックした検索マーク１５１に対応する承認データの表示が参照するのみのために表示される。また、図５０，図５１において、例えば、申請者が「木村治之」であり、１次承認者が「木村治之」であるデータの承認画面表示用アイコン１５２をクリックすると、図４８に示したメールアカウント申請書の承認画面が表示される。
【０１６２】
この画面では、ステータスに承認状態が表示される。例えば、「１次承認待ち」、「２次承認待ち」、「３次承認待ち」等が表示される
図５０，図５１において、申請者が「木村治之」であり、１次承認者が「木村治之」であるデータでは、ステータスが「２次承認待ち」となっているので、図４８のメールアカウント申請書の承認画面のステータスには「２次承認待ち」が表示される。しかし、２次承認者は「山中純青」であるので、２次承認者である「山中純青」のみが承認ボタン１３３をクリックしたとき、承認が行われる。
（その他）
以上説明した実施例では、インターネットを利用したＷｅｂサーバシステム１にこの発明におけるデータベース作成および入力のためのデータベース作成管理システムを適用した例を示したが、必ずしもインターネットを利用したＷｅｂサーバシステム１にのみこの発明のデータベース作成管理システムが適用されものではない。例えば、イントラネットを利用したサーバシステムに、この発明に係るデータベース作成管理システムを適用することもできる。また、発明に係るデータベース作成管理システムはインターネットやイントラネットを利用したサーバシステム以外にスタンドアローンのコンピュータに利用することもできる。
＜補足説明１＞
以上説明したようにこの発明の実施の形態のデータベースアクセス定管理システムは、複数のアクセス操作対象のアクセス権設定画面（図４９のアクセス権設定画面）を表示させるデータ管理ソフトが記録された記録手段（共通管理サーバ１３）と、前記データ管理画面を表示させる表示手段（表示装置８）と、前記データ管理画面でのデータ操作を行わせる操作手段（キーボード４）と、前記操作手段（キーボード４）の操作に基づいてアクセス権設定画面を前記表示手段（表示装置８）に表示させる演算制御手段（共通管理サーバ１３の演算制御回路）と、を備えている。しかも、前記演算制御手段（共通管理サーバ１３の演算制御回路）は、前記アクセス権設定画面（図４９のアクセス権設定画面）の縦方向又は横方向の一方に前記複数のアクセス操作対象（例えば、個人、グループ、役職等）を表示させ、前記アクセス権設定画面の縦方向又は横方向の他方にアクセス条件（完了後、申請、１次、２次・・・ｎ次のアクセス順）を表示させると共に、前記複数の前記アクセス操作対象（例えば、個人、グループ、役職等）とアクセス条件（完了後、申請、１次、２次・・・ｎ次のアクセス順）の対応する位置にアクセスを許可可能とするチェックボックス１３０をそれぞれ表示させるようにしている。
【０１６３】
この構成によれば、  この構成によれば、構築するデータベースへの管理者が複数ある場合に、複数の管理者のデータベースへのアクセス権が一目で分かるように表示できるので、データベースの構築のアクセス権設定の管理を容易に行うことができる。しかも、単にチェックボックス１３０のチェック操作のみで、複数のアクセス操作対象（例えば、個人、グループ、役職等）に対するアクセス条件を簡易に設定できる。また、アクセス権設定画面がアクセス操作対象とアクセス条件およびチェックボックス１３０のみで構成されるので、アクセス権設定画面が複雑になることはなく、管理が容易になる。
＜補足説明２＞
また、この発明の実施の形態のデータベースアクセス権設定管理システムにおいて、前記データ管理ソフトは前記複数のアクセス操作対象（例えば、個人、グループ、役職等）に対して承認操作をさせる承認画面（図４８のメールアカウント申請書の承認画面）を有すると共に、前記アクセス権設定画面のアクセス条件（完了後、申請、１次、２次・・・ｎ次のアクセス順）は前記複数のアクセス操作対象（例えば、個人、グループ、役職等）に対して前記承認画面（図４８のメールアカウント申請書の承認画面）における承認条件（完了後、申請、１次、２次・・・ｎ次のアクセス順）を設定するようになっている。
【０１６４】
この構成によれば、承認画面でのワークフロー設定を簡易に行うことができる。
＜補足説明３＞
更に、この発明の実施の形態のデータベース認証権設定管理システムにおいて、前記管理ソフトは入力画面を作成する画面作成エリア４０およびコントロールアイコンバー４２が設けられたデータベース作成画面３９を有する。しかも、前記演算制御手段（共通管理サーバ１３の演算制御回路）は、前記承認画面（図４８のアカウント申請の承認画面）用のデータ入力又は設定用のボックス（１０３〜１０６，１０８，１０９，１０９ａ〜１０９ｅ等）が前記画面作成エリア４０に作成された後、前記コントロールアイコンバー４２に設けられたワークフローアイコン（ワークフローコントロール１０２）をクリックしたとき、前記承認画面（図４８のアカウント申請の承認画面）のワークフローで実施する承認数入力ボックス１２３が設けられたワークフロー設定画面１２０（図４７のワークフロー設定画面）を表示させ、前記承認数入力ボックス１２３に入力された承認数に応じた数のアクセス条件を前記承認条件（完了後、申請、１次、２次・・・ｎ次のアクセス順）として設定する。
【０１６５】
この構成によれば、作成される承認画面に応じてアクセス条件を承認条件として簡易に設定できる。
＜補足説明４＞
また、この発明の実施の形態のデータベース認証権設定管理システムにおいて、前記承認画面はメールアカウント申請書の画面である。
【０１６６】
この構成によれば、作成されるメールアカウント申請書の承認条件として簡易に設定できる。
＜補足説明５＞
また、この発明の実施の形態のデータベースアクセス権設定管理システムにおいて、前記複数のアクセス条件は１次，２次，・・・の順に承認させる承認順番である。
【０１６７】
この構成によれば、アクセス権のアクセス順序を容易に設定できる。
＜補足説明６＞
また、この発明の実施の形態のデータベースアクセス権設定管理システムにおいて、前記承認操作対象は個人、役職、グループのいずれか又は組み合わせである。
【０１６８】
この構成によれば、個人、役職、グループに関わらずアクセス権を容易に設定できる。
＜補足説明７＞
また、この発明の実施の形態のデータベースアクセス権設定管理システムにおいて、前記演算制御手段（共通管理サーバ１３の演算制御回路）は、前記承認画面（図４８のメールアカウント申請の承認画面）用のデータ入力又は設定用のボックス（１０３〜１０６，１０８，１０９，１０９ａ〜１０９ｅ等）が前記画面作成エリア４０に作成された後、前記コントロールアイコンバー４２に設けられたワークフローアイコン（ワークフローコントロール１０２）をクリックしたとき、前記データ入力又は設定用のボックス（１０３〜１０６，１０８，１０９，１０９ａ〜１０９ｅ等）に設定されるコントロール名称の項目に対して前記承認数入力ボックス１２３に入力された承認数に応じた数のアクセス条件がそれぞれ対応可能なアクセス権設定画面を表示させる。
【０１６９】
この構成によれば、承認画面（図４８のメールアカウント申請の承認画面）用のデータ入力又は設定用のボックス（１０３〜１０６，１０８，１０９，１０９ａ〜１０９ｅ等）が前記画面作成エリア４０に作成後に、ワークフローアイコン（ワークフローコントロール１０２）をクリックするのみで、データ入力又は設定用のボックス（１０３〜１０６，１０８，１０９，１０９ａ〜１０９ｅ等）に設定されるコントロール名称の項目をアクセス権設定画面に自動生成して表示させることができる。
＜補足説明８＞
また、この発明の実施の形態のデータベースアクセス権設定管理システムにおいて、前記演算制御手段（共通管理サーバ１３の演算制御回路）は、前記アクセス権設定画面の前記コントロール名称の項目と前記アクセス条件の対応するセルに「照会」、「変更」のアクセス権を設定可能に設けられている。
【０１７０】
この構成によれば、コントロール名称の項目にたいするアクセス条件を「照会」、「変更」のアクセス権に容易に設定できる。
【符号の説明】
【０１７１】
４・・・キーボード（操作手段）
８・・・表示装置（表示手段）
１３・・・共通管理サーバ（記録手段、演算制御手段）
３９・・・データベース作成画面
４０・・・画面作成エリア
４２・・・コントロールアイコンバー
１０２・・・ワークフローコントロール（ワークフローアイコン）
１０３・・・設定ボックス
１０４・・・申請設定ボックス
１０５・・・申請対象設定ボックス
１０６・・・所属設定ボックス
１０８・・・日付入力ボックス
１０９・・・対象入力ボックス
１０９ａ・・・文字入力ボックス
１０９ｂ・・・文字入力ボックス
１０９ｃ・・・アドレス入力ボックス
１０９ｄ・・・アドレス入力ボックス
１０９ｅ・・・アドレス入力ボックス
１１０・・・入力ボックス
１２３・・・承認数入力ボックス
１２０・・・ワークフロー設定画面
１３０・・・チェックボックス
【図１】
2014089674.tif 000003
【図２】
2014089674.tif 000004
【図２Ａ】
2014089674.tif 000005
【図２Ｂ】
2014089674.tif 000006
【図２Ｃ】
2014089674.tif 000007
【図２Ｄ】
2014089674.tif 000008
【図３】
2014089674.tif 000009
【図４】
2014089674.tif 000010
【図５】
2014089674.tif 000011
【図６】
2014089674.tif 000012
【図７】
2014089674.tif 000013
【図８】
2014089674.tif 000014
【図９】
2014089674.tif 000015
【図１０】
2014089674.tif 000016
【図１１】
2014089674.tif 000017
【図１２】
2014089674.tif 000018
【図１３】
2014089674.tif 000019
【図１４】
2014089674.tif 000020
【図１５】
2014089674.tif 000021
【図１６】
2014089674.tif 000022
【図１７】
2014089674.tif 000023
【図１８】
2014089674.tif 000024
【図１９】
2014089674.tif 000025
【図２０】
2014089674.tif 000026
【図２１】
2014089674.tif 000027
【図２２】
2014089674.tif 000028
【図２３】
2014089674.tif 000029
【図２４】
2014089674.tif 000030
【図２５】
2014089674.tif 000031
【図２６】
2014089674.tif 000032
【図２７】
2014089674.tif 000033
【図２８】
2014089674.tif 000034
【図２９】
2014089674.tif 000035
【図３０】
2014089674.tif 000036
【図３１】
2014089674.tif 000037
【図３２】
2014089674.tif 000038
【図３３】
2014089674.tif 000039
【図３４】
2014089674.tif 000040
【図３５】
2014089674.tif 000041
【図３６】
2014089674.tif 000042
【図３７】
2014089674.tif 000043
【図３８】
2014089674.tif 000044
【図３９】
2014089674.tif 000045
【図４０】
2014089674.tif 000046
【図４１】
2014089674.tif 000047
【図４２】
2014089674.tif 000048
【図４３】
2014089674.tif 000049
【図４４】
2014089674.tif 000050
【図４５】
2014089674.tif 000051
【図４６】
2014089674.tif 000052
【図４７】
2014089674.tif 000053
【図４８】
2014089674.tif 000054
【図４９】
2014089674.tif 000055
【図４９Ａ】
2014089674.tif 000056
【図４９Ｂ】
2014089674.tif 000057
【図５０】
2014089674.tif 000058
【図５１】
2014089674.tif 000059
【手続補正書】
【提出日】平成24年11月2日(2012.11.2)
【手続補正１】
【補正対象書類名】特許請求の範囲
【補正対象項目名】全文
【補正方法】変更
【補正の内容】
【特許請求の範囲】
【請求項１】
複数のアクセス操作対象のアクセス権設定画面を表示させるデータ管理ソフトが記録された記録手段と、
前記データ管理画面を表示させる表示手段と、
前記データ管理画面でのデータ操作を行わせる操作手段と、
前記操作手段の操作に基づいてアクセス権設定画面を前記表示手段に表示させる演算制御手段と、を備えるデータベースアクセス権設定管理システムであって、
前記演算制御手段は、前記アクセス権設定画面の縦方向又は横方向の一方に前記複数のアクセス操作対象を表示させ、前記アクセス権設定画面の縦方向又は横方向の他方にアクセス条件を表示させると共に、前記複数の前記アクセス操作対象とアクセス条件の対応する位置にアクセスを許可可能とするチェックボックスをそれぞれ表示させたことを特徴とするデータベースアクセス権設定管理システム。
【請求項２】
請求項１に記載のデータベースアクセス権設定管理システムにおいて、前記データ管理ソフトは前記複数のアクセス操作対象に対して承認操作をさせる承認画面を有すると共に、前記アクセス権設定画面のアクセス条件は前記複数のアクセス操作対象に対して前記承認画面における承認条件を設定すること特徴とするデータベースアクセス権設定管理システム。
【請求項３】
請求項２に記載のデータベースアクセス権設定管理システムにおいて、前記管理ソフトは入力画面を作成する画面作成エリアおよびコントロールアイコンバーが設けられたデータベース作成画面を有すると共に、
前記演算制御手段は、前記承認画面用のデータ入力又は設定用のボックスが前記画面作成エリアに作成された後、前記コントロールアイコンバーに設けられたワークフローアイコンをクリックしたとき、前記承認画面のワークフローで実施する承認数入力ボックスが設けられたワークフロー設定画面を表示させ、前記承認数入力ボックスに入力された承認数に応じた数のアクセス条件を前記承認条件として設定することを特徴とするデータベースアクセス権設定管理システム。
【請求項４】
請求項３に記載のデータベースアクセス権設定管理システムにおいて、前記承認画面はメールアカウント申請書の画面であることを特徴とするデータベースアクセス権設定管理システム。
【請求項５】
請求項１〜４のいずれか一つに記載のデータベースアクセス権設定管理システムにおいて、前記複数のアクセス条件は１次，２次，・・・の順に承認させる承認順番であることを特徴とするデータベースアクセス権設定管理システム。
【請求項６】
請求項１〜５のいずれか一つに記載のデータベースアクセス権設定管理システムにおいて、前記承認操作対象は個人、役職、グループのいずれか又は組み合わせであることを特徴とするデータベースアクセス権設定管理システム。
【請求項７】
請求項３に記載のデータベースアクセス権設定管理システムにおいて、前記演算制御手段は、前記承認画面用のデータ入力又は設定用のボックスが前記画面作成エリアに作成された後、前記コントロールアイコンバーに設けられたワークフローアイコンをクリックしたとき、前記データ入力又は設定用のボックスに設定されるコントロール名称の項目に対して前記承認数入力ボックスに入力された承認数に応じた数のアクセス条件がそれぞれ対応可能なアクセス権設定画面を表示させることを特徴とするデータベースアクセス権設定管理システム。
【請求項８】
請求項７に記載のデータベースアクセス権設定管理システムにおいて、前記演算制御手段は、前記アクセス権設定画面の前記コントロール名称の項目と前記アクセス条件の対応するセルに「照会」、「変更」のアクセス権を設定可能に設けられていることを特徴とするデータベースアクセス権設定管理システム。
【手続補正２】
【補正対象書類名】明細書
【補正対象項目名】０００８
【補正方法】変更
【補正の内容】
【０００８】
そこで、この発明は、複数のアクセス操作対象のアクセス権設定画面を表示させるデータ管理ソフトが記録された記録手段と、前記データ管理画面を表示させる表示手段と、前記データ管理画面でのデータ操作を行わせる操作手段と、前記操作手段の操作に基づいてアクセス権設定画面を前記表示手段に表示させる演算制御手段と、を備えるデータベースアクセス権設定管理システムであって、前記演算制御手段は、前記アクセス権設定画面の縦方向又は横方向の一方に前記複数のアクセス操作対象を表示させ、前記アクセス権設定画面の縦方向又は横方向の他方にアクセス条件を表示させると共に、前記複数の前記アクセス操作対象とアクセス条件の対応する位置にアクセスを許可可能とするチェックボックスをそれぞれ表示させたデータベースアクセス権設定管理システムとしたことを特徴とする。
【手続補正３】
【補正対象書類名】明細書
【補正対象項目名】０１６２
【補正方法】変更
【補正の内容】
【０１６２】
この画面では、ステータスに承認状態が表示される。例えば、「１次承認待ち」、「２次承認待ち」、「３次承認待ち」等が表示される
図５０，図５１において、申請者が「木村治之」であり、１次承認者が「木村治之」であるデータでは、ステータスが「２次承認待ち」となっているので、図４８のメールアカウント申請書の承認画面のステータスには「２次承認待ち」が表示される。しかし、２次承認者は「山中純青」であるので、２次承認者である「山中純青」のみが承認ボタン１３３をクリックしたとき、承認が行われる。
（その他）
以上説明した実施例では、インターネットを利用したＷｅｂサーバシステム１にこの発明におけるデータベース作成および入力のためのデータベース作成管理システムを適用した例を示したが、必ずしもインターネットを利用したＷｅｂサーバシステム１にのみこの発明のデータベース作成管理システムが適用されものではない。例えば、イントラネットを利用したサーバシステムに、この発明に係るデータベース作成管理システムを適用することもできる。また、発明に係るデータベース作成管理システムはインターネットやイントラネットを利用したサーバシステム以外にスタンドアローンのコンピュータに利用することもできる。
＜補足説明１＞
以上説明したようにこの発明の実施の形態のデータベースアクセス権設定管理システムは、複数のアクセス操作対象のアクセス権設定画面（図４９のアクセス権設定画面）を表示させるデータ管理ソフトが記録された記録手段（共通管理サーバ１３）と、前記データ管理画面を表示させる表示手段（表示装置８）と、前記データ管理画面でのデータ操作を行わせる操作手段（キーボード４）と、前記操作手段（キーボード４）の操作に基づいてアクセス権設定画面を前記表示手段（表示装置８）に表示させる演算制御手段（共通管理サーバ１３の演算制御回路）と、を備えている。しかも、前記演算制御手段（共通管理サーバ１３の演算制御回路）は、前記アクセス権設定画面（図４９のアクセス権設定画面）の縦方向又は横方向の一方に前記複数のアクセス操作対象（例えば、個人、グループ、役職等）を表示させ、前記アクセス権設定画面の縦方向又は横方向の他方にアクセス条件（完了後、申請、１次、２次・・・ｎ次のアクセス順）を表示させると共に、前記複数の前記アクセス操作対象（例えば、個人、グループ、役職等）とアクセス条件（完了後、申請、１次、２次・・・ｎ次のアクセス順）の対応する位置にアクセスを許可可能とするチェックボックス１３０をそれぞれ表示させるようにしている。
【手続補正４】
【補正対象書類名】明細書
【補正対象項目名】０１６４
【補正方法】変更
【補正の内容】
【０１６４】
この構成によれば、承認画面でのワークフロー設定を簡易に行うことができる。
＜補足説明３＞
更に、この発明の実施の形態のデータベースアクセス権設定管理システムにおいて、前記管理ソフトは入力画面を作成する画面作成エリア４０およびコントロールアイコンバー４２が設けられたデータベース作成画面３９を有する。しかも、前記演算制御手段（共通管理サーバ１３の演算制御回路）は、前記承認画面（図４８のアカウント申請の承認画面）用のデータ入力又は設定用のボックス（１０３〜１０６，１０８，１０９，１０９ａ〜１０９ｅ等）が前記画面作成エリア４０に作成された後、前記コントロールアイコンバー４２に設けられたワークフローアイコン（ワークフローコントロール１０２）をクリックしたとき、前記承認画面（図４８のアカウント申請の承認画面）のワークフローで実施する承認数入力ボックス１２３が設けられたワークフロー設定画面１２０（図４７のワークフロー設定画面）を表示させ、前記承認数入力ボックス１２３に入力された承認数に応じた数のアクセス条件を前記承認条件（完了後、申請、１次、２次・・・ｎ次のアクセス順）として設定する。
【手続補正５】
【補正対象書類名】明細書
【補正対象項目名】０１６５
【補正方法】変更
【補正の内容】
【０１６５】
この構成によれば、作成される承認画面に応じてアクセス条件を承認条件として簡易に設定できる。
＜補足説明４＞
また、この発明の実施の形態のデータベースアクセス設定管理システムにおいて、前記承認画面はメールアカウント申請書の画面である。
【手続補正書】
【提出日】平成25年2月22日(2013.2.22)
【手続補正１】
【補正対象書類名】特許請求の範囲
【補正対象項目名】全文
【補正方法】変更
【補正の内容】
【特許請求の範囲】
【請求項１】
データベース作成画面，前記データベース作成画面で作成されたデータ入力画面、前記データ入力画面の作成や入力データの入力条件の設定操作の申請のためのメールアカウント申請書の承認操作をさせる承認画面、および前記承認画面への複数のアクセス操作対象のアクセス権設定画面の表示に用いるデータ管理ソフトが記録された記録手段を備えると共に、前記データ管理ソフトで動作制御される演算制御手段を備える、データ管理用のサーバーシステムと、
前記アクセス対象により操作され且つオンライン用の回線又はインターネットを介して前記サーバーシステムに接続される端末と、を備え、
前記端末は前記各画面を表示させる表示手段および前記各画面の操作を行わせる操作手段を備えるデータベースアクセス権設定管理システムであって、
前記演算制御手段は、前記アクセス権設定画面の縦方向又は横方向の一方に前記複数のアクセス操作対象を表示させ、前記アクセス権設定画面の縦方向又は横方向の他方に承認順番を示す承認数分の項目を表示させ、前記複数の前記アクセス操作対象と前記承認順番を示す承認数分の項目の対応する位置にアクセスを許可可能とするチェックボックスをそれぞれ表示させると共に、前記チェックボックスでチェックされたアクセス対象およびその承認順番の承認経路とメールアカウント申請に対する承認日を前記承認画面に表示させることを特徴とするデータベースアクセス権設定管理システム。
【請求項２】
請求項１に記載のデータベースアクセス権設定管理システムにおいて、前記データベース作成画面は、データ入力画面を作成する画面作成エリアおよび前記データ入力画面のデータ入力部を作成するのに用いるコントロールアイコンバーを備え、
前記コントロールアイコンバーは前記承認画面の作成に用いるワークフロー用のワークフローアイコンを備え、
前記演算制御手段は、前記承認画面用のデータ入力のボックスが前記画面作成エリアに作成された後に、前記ワークフローアイコンが前記操作手段により操作されたとき、前記ワークフローで実施する承認数入力ボックスが設けられたワークフロー設定画面を前記表示手段に表示させて、前記操作手段により前記承認数入力ボックスに入力される承認数の承認順番を示す承認数分の項目を前記アクセス条件として前記ワークフロー設定画面に前記複数のアクセス操作対象に対応させて表示させ、
前記演算制御手段は、前記チェックボックスが前記操作手段によりチェックされたとき、前記アクセス権設定画面の縦方向又は横方向の一方に前記ワークフロー設定画面で設定される前記複数のアクセス操作対象を表示させ、前記アクセス権設定画面の縦方向又は横方向の他方に前記ワークフロー設定画面で設定される前記承認数の承認順番を示す承認数分の項目を表示させ、前記複数の前記アクセス操作対象と前記承認数の承認順番を示す承認数分の項目の対応する位置にアクセスを許可可能とするチェックボックスをそれぞれ表示させるデータベースアクセス権設定管理システム。
【請求項３】
請求項１又は２に記載のデータベースアクセス権設定管理システムにおいて、
前記承認操作の対象は個人、役職、グループのいずれか又は組み合わせであることを特徴とするデータベースアクセス権設定管理システム。
【請求項４】
請求項２又は３に記載のデータベースアクセス権設定管理システムにおいて、前記演算制御手段は、前記承認画面用のデータ入力又は設定用のボックスが前記画面作成エリアに作成された後、前記コントロールアイコンバーに設けられたワークフローアイコンを操作したとき、前記データ入力又は設定用のボックスに設定されるコントロール名称の項目、及び、前記承認数入力ボックスに入力された承認数に応じた数の前記承認順番を前記コントロール名称の項目に対して設定する項目を有するアクセス権設定画面を表示させることを特徴とするデータベースアクセス権設定管理システム。
【請求項５】
請求項４に記載のデータベースアクセス権設定管理システムにおいて、前記演算制御手段は、「照会」、「変更」のアクセス権を設定させるセルを前記コントロール名称の項目と前記アクセス条件とに対応させて表示させることを特徴とするデータベースアクセス権設定管理システム。
【手続補正２】
【補正対象書類名】明細書
【補正対象項目名】０００８
【補正方法】変更
【補正の内容】
【０００８】
そこで、この発明は、データベース作成画面，前記データベース作成画面で作成されたデータ入力画面、前記データ入力画面の作成や入力データの入力条件の設定操作の申請のためのメールアカウント申請書の承認操作をさせる承認画面、および前記承認画面への複数のアクセス操作対象のアクセス権設定画面の表示に用いるデータ管理ソフトが記録された記録手段を備えると共に、前記データ管理ソフトで動作制御される演算制御手段を備える、データ管理用のサーバーシステムと、前記アクセス対象により操作され且つオンライン用の回線又はインターネットを介して前記サーバーシステムに接続される端末と、を備え、前記端末は前記各画面を表示させる表示手段および前記各画面の操作を行わせる操作手段を備えるデータベースアクセス権設定管理システムであって、前記演算制御手段は、前記アクセス権設定画面の縦方向又は横方向の一方に前記複数のアクセス操作対象を表示させ、前記アクセス権設定画面の縦方向又は横方向の他方に承認順番を示す承認数分の項目を表示させ、前記複数の前記アクセス操作対象と前記承認順番を示す承認数分の項目の対応する位置にアクセスを許可可能とするチェックボックスをそれぞれ表示させると共に、前記チェックボックスでチェックされたアクセス対象およびその承認順番の承認経路とメールアカウント申請に対する承認日を前記承認画面に表示させるデータベースアクセス権設定管理システムとしたことを特徴とする。